(57)【要約】  本発明は、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆ、またはこれらの混合物とを含む組成物に関し、前記組成物は、  （Ｉ）前記ＨＦＯ−１２３４ｙｆまたはトランス−ＨＦＯ−１２３４ｚｅまたはこれらの混合物が少なくともその５６重量パーセントである第１の組成物、  （ＩＩ）前記ＨＦＣ−３２が最大でその２９重量パーセントである第２の組成物、  （ＩＩＩ）前記ＨＦＣ−１５２ａが少なくともその５６重量パーセントである第３の組成物、  （ＩＶ）前記ＨＦＣ−３２が少なくともその５６重量パーセントである第４の組成物、  （Ｖ）トランス−ＨＦＯ−１２３４ｚｅと、ＨＦＣ−３２と、ＨＦＣ−１５２ａ、ＨＦＯ−１２４３ｚｆ、またはこれらの混合物とを含む第５の組成物、および  （ＶＩ）前記ＨＦＯ−１２４３ｚｆまたはＨＦＯ−１２４３ｚｆとＨＦＣ−１５２ａとの混合物が最大でその２０重量パーセントである第６の組成物からなる群から選択される。
2014528987.tif 000002
【特許請求の範囲】
【請求項１】
ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆ、またはこれらの混合物とを含む組成物であって、該組成物が、
（Ｉ）第１の組成物であって、上記ＨＦＯ−１２３４ｙｆまたはトランス−ＨＦＯ−１２３４ｚｅまたはこれらの混合物が少なくとも該第１の組成物の全質量の５６質量パーセントである第１の組成物、
（ＩＩ）第２の組成物であって、上記ＨＦＣ−３２が最大で該第２の組成物の全質量の２９質量パーセントである第２の組成物、
（ＩＩＩ）第３の組成物であって、上記ＨＦＣ−１５２ａが少なくとも該第３の組成物の全質量の５６質量パーセントである第３の組成物、
（ＩＶ）第４の組成物であって、上記ＨＦＣ−３２が少なくとも該第４の組成物の全質量の５６質量パーセントである第４の組成物、
（Ｖ）トランス−ＨＦＯ−１２３４ｚｅと、ＨＦＣ−３２と、ＨＦＣ−１５２ａ、ＨＦＯ−１２４３ｚｆまたはこれらの混合物とを含む第５の組成物、および
（ＶＩ）第６の組成物であって、上記ＨＦＯ−１２４３ｚｆまたはＨＦＯ−１２４３ｚｆとＨＦＣ−１５２ａとの混合物が最大で前記第６の組成物の全質量の２０質量パーセントである第６の組成物
からなる群から選択される組成物。
【請求項２】
前記組成物が、少なくとも１つの既存の冷媒の約７５％〜約１３０％の範囲の冷却能力を有する、請求項１に記載の組成物。
【請求項３】
前記既存の冷媒が、Ｒ−２２、ＨＦＣ−１３４ａ、Ｒ−４０４Ａ、およびＲ−４０７Ｃからなる群から選択される、請求項２に記載の組成物。
【請求項４】
前記組成物の燃焼性が最大で２Ｌに分類される、請求項３に記載の組成物。
【請求項５】
約５６〜約９８質量パーセントのＨＦＯ−１２３４ｙｆまたはトランス−ＨＦＯ−１２３４ｚｅまたはこれらの混合物と、約１〜約２９質量パーセントのＨＦＣ−３２と、約１〜約１８質量パーセントのＨＦＣ−１５２ａ、ＨＦＯ−１２４３ｚｆまたはこれらの混合物とを含む、請求項１に記載の組成物。
【請求項６】
約６０〜約９８質量パーセントのＨＦＯ−１２３４ｙｆまたはトランス−ＨＦＯ−１２３４ｚｅまたはこれらの混合物と、約５〜約２５質量パーセントのＨＦＣ−３２と、約５〜約１５質量パーセントのＨＦＣ−１５２ａ、ＨＦＯ−１２４３ｚｆまたはこれらの混合物とを含む、請求項１に記載の組成物。
【請求項７】
約７５〜約８５質量パーセントのＨＦＯ−１２３４ｙｆまたはトランス−ＨＦＯ−１２３４ｚｅまたはこれらの混合物と、約１０質量パーセントのＨＦＣ−３２と、約５〜約１５質量パーセントのＨＦＣ−１５２ａ、ＨＦＯ−１２４３ｚｆまたはこれらの混合物とを含む、請求項１に記載の組成物。
【請求項８】
約５８〜約７３．５質量パーセントのＨＦＯ−１２３４ｙｆまたはトランス−ＨＦＯ−１２３４ｚｅまたはこれらの混合物と、約２１．５質量パーセントのＨＦＣ−３２と、約５〜約２０質量パーセントのＨＦＣ−１５２ａ、ＨＦＯ−１２４３ｚｆまたはこれらの混合物とを含む、請求項１に記載の組成物。
【請求項９】
約２２〜約３８質量パーセントのＨＦＯ−１２３４ｙｆまたはトランス−ＨＦＯ−１２３４ｚｅまたはこれらの混合物と、約５７．５質量パーセントのＨＦＣ−３２と、約５〜約２０質量パーセントのＨＦＣ−１５２ａ、ＨＦＯ−１２４３ｚｆまたはこれらの混合物とを含む、請求項１に記載の組成物。
【請求項１０】
０質量パーセントより大きく、約１０質量パーセントまでの範囲の少なくとも１つの飽和ＨＦＣをさらに含む、請求項１に記載の組成物。
【請求項１１】
前記少なくとも１つの飽和ＨＦＣがＨＦＣ−１３４ａである、請求項１０に記載の組成物。
【請求項１２】
前記組成物のＧＷＰが、Ｒ−１３４ａ、Ｒ−２２、Ｒ−４０７Ｃ、およびＲ−４０４Ａからなる群から選択される少なくとも１つの冷媒のＧＷＰよりも小さい、請求項２に記載の組成物。
【請求項１３】
前記ＨＦＯ−１２３４ｙｆまたはトランス−ＨＦＯ−１２３４ｚｅまたはこれらの混合物の、ＨＦＣ−１５２ａ、ＨＦＯ−１２４３ｚｆまたはこれらの混合物に対する比率が約１：１〜約２０：１の範囲である、請求項１に記載の組成物。
【請求項１４】
鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む、請求項１に記載の組成物。
【請求項１５】
潤滑剤、色素（ＵＶ色素を含む）、可溶化剤、相溶化剤、安定剤、トレーサー、ペルフルオロポリエーテル、摩耗防止剤、極圧剤、腐食および酸化防止剤、金属表面エネルギー低下剤、金属表面不活性化剤、フリーラジカル捕捉剤、泡制御剤、粘度指数向上剤、流動点降下剤、清浄剤、粘度調整剤、およびこれらの混合物からなる群から選択される少なくとも１つの添加剤をさらに含む、請求項１に記載の組成物。
【請求項１６】
請求項１に記載の組成物を凝縮させるステップと、その後、冷却すべき物体の近くで該組成物を蒸発させるステップと、を含む、冷却を行うための方法。
【請求項１７】
加熱すべき本体の近くで請求項１に記載の組成物を凝縮させる工程、及びその後、該組成物を蒸発させることを含む、熱を生成するための方法。
【請求項１８】
既存の冷媒を使用するように設計されたシステムで該既存の冷媒をそれぞれ置換するための方法であって、請求項１に記載の組成物を該システムに提供することを含む方法。
【請求項１９】
前記既存の冷媒がＲ−２２、Ｒ−４０４Ａ、Ｒ−４０７Ｃ、およびＲ−１３４ａから選択される、請求項１８に記載の方法。
【請求項２０】
請求項１に記載の組成物を含有する冷凍、空調またはヒートポンプ装置。
【請求項２１】
請求項１に記載の組成物を含有する業務用空調装置。
【請求項２２】
請求項１に記載の組成物を含有する業務用冷凍システム。
【請求項２３】
熱を回収するための方法であって、（ａ）熱を生成するプロセスと連通する第１の熱交換器に、請求項１に記載の組成物を含む作動流体を通すステップと、（ｂ）該作動流体を該第１の熱交換器から除去するステップと、（ｃ）機械的エネルギーを生成するデバイスに、該作動流体を通すステップと、（ｄ）第２の熱交換器に該作動流体を通すステップとを含む方法。
【請求項２４】
請求項１に記載の組成物を含有する自動車用空調装置またはヒートポンプ。
【請求項２５】
ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含み、該ＨＦＣ−１５２ａ、ＨＦＯ−１２４３ｚｆまたはこれらの混合物が約１４質量パーセント〜約１６質量パーセントの範囲である組成物であって、Ｒ−２２、ＨＦＣ−１３４ａ、Ｒ−４０４Ａ、およびＲ−４０７Ｃからなる群から選択される少なくとも１つの化合物の約７５％〜約１３０％の範囲の冷却能力を有する組成物。
【請求項２６】
鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む、請求項２５に記載の組成物。
【請求項２７】
潤滑剤、色素（ＵＶ色素を含む）、可溶化剤、相溶化剤、安定剤、トレーサー、ペルフルオロポリエーテル、摩耗防止剤、極圧剤、腐食および酸化防止剤、金属表面エネルギー低下剤、金属表面不活性化剤、フリーラジカル捕捉剤、泡制御剤、粘度指数向上剤、流動点降下剤、清浄剤、粘度調整剤、およびこれらの混合物からなる群から選択される少なくとも１つの添加剤をさらに含む、請求項２５に記載の組成物。
【請求項２８】
請求項２５に記載の組成物を凝縮させるステップと、その後、冷却すべき物体の近くで該組成物を蒸発させるステップと、を含む、冷却を行うための方法。
【請求項２９】
加熱すべき物体の近くで請求項２５に記載の組成物を凝縮させるステップと、その後、該組成物を蒸発させるステップと、を含む、熱を生成するための方法。
【請求項３０】
Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａを置換するための方法であって、請求項１に記載の組成物を該システムに提供することを含む方法。
【請求項３１】
請求項２５に記載の組成物を含有する冷凍、空調またはヒートポンプ装置。
【請求項３２】
請求項２５に記載の組成物を含有する業務用空調装置。
【請求項３３】
請求項２５に記載の組成物を含有する業務用冷凍システム。
【請求項３４】
熱を回収するための方法であって、（ａ）熱を生成するプロセスと連通する第１の熱交換器に、請求項２５に記載の組成物を含む作動流体を通すステップと、（ｂ）該作動流体を該第１の熱交換器から除去するステップと、（ｃ）機械的エネルギーを生成するデバイスに、該作動流体を通すステップと、（ｄ）第２の熱交換器に該作動流体を通すステップとを含む方法。
【請求項３５】
請求項２５に記載の組成物を含有する自動車用空調装置またはヒートポンプ。
【発明の詳細な説明】
【技術分野】
【０００１】
本開示は、２，３，３，３−テトラフルオロプロペン（ＨＦＯ−１２３４ｙｆ）または１，３，３，３−テトラフルオロプロペン（トランス−ＨＦＯ−１２３４ｚｅ）またはこれらの混合物と、ジフルオロメタン（ＨＦＣ−３２）と、１，１−ジフルオロエタン（ＨＦＣ−１５２ａ）、３，３，３−トリフルオロプロペン（ＨＦＯ−１２４３ｚｆ）またはこれらの混合物とを含む組成物に関する。
【０００２】
本発明の組成物は、伝熱流体、発泡剤、エアロゾル噴射剤として、そして動力サイクルの作動流体として、冷却または加熱をもたらすための方法において有用である。
【背景技術】
【０００３】
冷凍産業では、過去数十年の間、オゾン層を破壊するクロロフルオロカーボン（ＣＦＣ）およびハイドロクロロフルオロカーボン（ＨＣＦＣ）の代替冷媒を見出す努力がなされてきた。ＣＦＣおよびＨＣＦＣは、モントリオール議定書（Ｍｏｎｔｒｅａｌ  Ｐｒｏｔｏｃｏｌ）の結果として段階的に廃止されつつある。ほとんどの冷媒製造業者にとっての解決法は、ハイドロフルオロカーボン（ＨＦＣ）冷媒の商業化であった。例えば、現時点で最も広く使用されている新しいＨＦＣ冷媒のＨＦＣ−１３４ａは、オゾン層破壊係数がゼロであり、従って、モントリオール議定書の結果としての現在の規制段階的廃止による影響を受けない。
【０００４】
しかしながら、さらなる環境規制により、最終的には、特定のＨＦＣ冷媒の世界的な段階的廃止へと至り得る。現在、産業界は、移動空調で使用される冷媒についての地球温暖化係数（ＧＷＰ）に関する規制に直面している。将来的に規制がより広く適用されれば、例えば固定空調および冷凍システムでは、冷凍および空調産業の全ての分野で使用することができる冷媒に対してさらにより大きい必要性が感じられるであろう。ＧＷＰに関連する最終的な規制要件についての不確実性によって、産業界は、多数の候補化合物および混合物を考慮することを強いられている。
【０００５】
現在提案されているＨＦＣ冷媒および冷媒ブレンドの代替冷媒としては、例えば、ブタンもしくはプロパンなどの純粋な炭化水素、またはＣＯ２などの「天然」冷媒が挙げられる。しかしながら、これらの提案された代替品は毒性、引火性、低エネルギー効率を含む問題を有するか、あるいは大きな装置設計の変更を必要とする。同様に、とりわけＲ−２２、Ｒ−１３４ａ、Ｒ−４０４Ａ、およびＲ−４０７Ｃに対しても新しい代替品が提案されている。ＧＷＰに関連してどんな規制要件が最終的に採用されるかについての不確実性によって、産業界は、低ＧＷＰ、非引火性または低引火性に対する必要性と、現存のシステム性能パラメータとのバランスを取る多数の候補化合物および混合物を考慮することを強いられている。
【発明の概要】
【課題を解決するための手段】
【０００６】
本発明は、Ｒ−４０７Ｃ（５０重量パーセントのＲ１２５および５０重量パーセントのＲ３２のブレンドに対するＡＳＨＲＡＥ名称）、Ｒ−４０４Ａ（４４重量パーセントのＲ１２５、５２重量パーセントのＲ１４３ａ（１，１，１−トリフルオロエタン）、および４．０重量パーセントのＲ−１３４ａのブレンドに対するＡＳＨＲＡＥ名称）、およびＲ−２２などの現存の冷媒（以下の定義を参照）を含むがこれらに限定されない、現在使用されている冷媒の代替品として、低ＧＷＰ組成物を開示する。
【０００７】
多くの場合、代替冷媒は、異なる冷媒のために設計された元の冷凍装置において使用可能であれば最も有用である。本明細書に開示される組成物は、Ｒ−４０７Ｃ、Ｒ−４０４Ａ、Ｒ−１３４ａ、およびＲ−２２などの現存の冷媒（以下の定義を参照）の代替品として、それぞれＲ−４０７Ｃ、Ｒ−４０４Ａ、Ｒ−１３４ａ、およびＲ−２２などの現存の冷媒（以下の定義を参照）のために設計されたいくらかのシステム修正を有する装置において有用であり得る。さらに、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物と、任意選択でＲ−１３４ａとを含む本明細書に開示される組成物は、Ｒ−４０４Ａ、Ｒ−４０７Ｃ、Ｒ−１３４ａ、およびＲ−２２などの現存の冷媒（以下の定義を参照）の代替品として、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物と、任意選択でＲ−１３４ａとを含むこれらの新しい組成物のために特別に修正されるか、あるいは完全にこれらの新しい組成物のために製造された装置において有用であり得る。
【０００８】
一実施形態では、本発明は、ＨＦＯ−１２３４ｙｆまたはトランス−ＨＦＯ−１２３４ｚｅまたはこれらの混合物と、ジフルオロメタン（ＨＦＣ−３２）と、１，１−ジフルオロエタン（ＨＦＣ−１５２ａ）、３，３，３−トリフルオロプロペン（ＨＦＯ−１２４３ｚｆ）またはこれらの混合物とを含む組成物に関し、前記組成物は、
（Ｉ）第１の組成物であって、前記ＨＦＯ−１２３４ｙｆまたはトランス−ＨＦＯ−１２３４ｚｅまたはこれらの混合物が少なくともその第１の組成物の全重量の５６重量パーセントである第１の組成物、
（ＩＩ）第２の組成物であって、前記ＨＦＣ−３２が最大でその第２の組成物の全重量の２９重量パーセントである第２の組成物、
（ＩＩＩ）第３の組成物であって、前記ＨＦＣ−１５２ａ、ＨＦＯ−１２４３ｚｆまたはこれらの混合物が少なくともその第３の組成物の全重量の５６重量パーセントである第３の組成物、
（ＩＶ）第４の組成物であって、前記ＨＦＣ−３２が少なくともその第４の組成物の全重量の５６重量パーセントである第４の組成物、
（Ｖ）トランス−ＨＦＯ−１２３４ｚｅと、ＨＦＣ−３２と、ＨＦＣ−１５２ａ、ＨＦＯ−１２４３ｚｆまたはこれらの混合物とを含む第５の組成物、および
（ＶＩ）第６の組成物であって、前記ＨＦＯ−１２４３ｚｆまたはＨＦＯ−１２４３ｚｆとＨＦＣ−１５２ａとの混合物が最大でその第６の組成物の全重量の２０重量パーセントである第６の組成物
からなる群から選択される。
【０００９】
また本発明は、Ｒ−２２、ＨＦＣ−１３４ａ、Ｒ−４０４Ａ、およびＲ−４０７Ｃなどの現存の冷媒（以下の定義を参照）の群から選択される少なくとも１つの化合物の約７５％〜約１３０％の範囲の冷却容量を有する、上記の組成物にも関する。
【００１０】
また本発明は、ＨＦＯ−１２３４ｚｅと、ＨＦＣ−３２と、ＨＦＣ−１５２ａ、ＨＦＯ−１２４３ｚｆまたはこれらの混合物とから本質的になり、ＨＦＣ−１５２ａ、ＨＦＯ−１２４３ｚｆまたはこれらの混合物が全組成物の約１５重量パーセント以下で存在する、上記の組成物にも関する。
【００１１】
また本発明は、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含み、ＨＦＣ−１５２ａ、ＨＦＯ−１２４３ｚｆまたはこれらの混合物が約１４重量パーセント〜約１６重量パーセントの範囲である組成物にも関し、前記組成物は、Ｒ−２２、ＨＦＣ−１３４ａ、Ｒ−４０４Ａ、およびＲ−４０７Ｃなどの現存の冷媒（以下の定義を参照）の群から選択される少なくとも１つの化合物の約７５％〜約１３０％の範囲の冷却容量を有する。
【００１２】
別の実施形態では、上記に記載される組成物はさらに、約０重量パーセント（含まれない）〜約１０重量パーセントの範囲の以下に記載される少なくとも１つの他の飽和ＨＦＣを含む。
【００１３】
本発明の別の実施形態は、前記組成物のＧＷＰが、Ｒ−１３４ａ、Ｒ−２２、Ｒ−４０７Ｃ、およびＲ−４０４Ａなどの現存の冷媒（以下の定義を参照）の群から選択される少なくとも１つの化合物のＧＷＰよりも小さい、上記の組成物に関する。
【００１４】
また本発明は、上記の組成物を凝縮させ、その後、冷却すべき本体の近くで前記組成物を蒸発させることを含む、冷却をもたらすための方法にも関する。また本発明は、加熱すべき本体の近くで上記の組成物を凝縮させ、その後、前記組成物を蒸発させることを含む、加熱をもたらすための方法にも関する。
【００１５】
さらに別の実施形態では、本発明は、Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａなどの現存の冷媒（以下の定義を参照）を置換するための方法に関し、前記方法は、上記の組成物を前記システムに提供することを含む。
【００１６】
また本発明は、上記の組成物を含有する冷凍システム、空調システム、固定空調装置、固定冷凍システム、自動車用空調装置、またはヒートポンプにも関する。また本発明は、上記の組成物を動力サイクルの作動流体として使用するための方法にも関する。
【００１７】
また本発明は、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含み、ＨＦＣ−１５２ａ、ＨＦＯ−１２４３ｚｆまたはこれらの混合物が約１４重量パーセント〜約１６重量パーセントの範囲である組成物にも関し、前記組成物は、Ｒ−２２、ＨＦＣ−１３４ａ、Ｒ−４０４Ａ、およびＲ−４０７Ｃなどの現存の冷媒（以下の定義を参照）の群から選択される少なくとも１つの化合物の約７５％〜約１３０％の範囲の冷却容量を有する。
【００１８】
また本明細書には、冷却および加熱をもたらす方法、Ｒ−１３４ａ、Ｒ４１０ＡおよびＲ−４０４Ａなどの現存の冷媒を置換するための方法、ならびに、ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物を含有する空調および冷凍装置も開示されている。
【図面の簡単な説明】
【００１９】
【図１】ＨＦＯ−１２３４ｙｆ／ＨＦＣ−３２／ＨＦＣ−１５２ａ混合物の推定燃焼速度を、ＨＦＯ−１２３４ｙｆ／ＨＦＣ−１５２ａ比の関数として説明する。
【発明を実施するための形態】
【００２０】
以下に記載される実施形態の詳細に取り組む前に、いくつかの用語が定義される、または明確にされる。
【００２１】
定義
本明細書で使用される場合、伝熱組成物という用語は、熱源からヒートシンクへ熱を運ぶために使用される組成物を意味する。
【００２２】
熱源は、熱を加える、伝達する、移動する、あるいは除去することが望ましい任意の空間、場所、物体または本体であると定義される。熱源の例は、スーパーマーケットにおける冷蔵庫または冷凍庫ケースなどの冷凍または冷却を必要とする空間（開放または閉鎖）、空調を必要とする建物空間、工業用ウォーターチラー、または空調を必要とする自動車の乗員室である。いくつかの実施形態では、伝熱組成物は、伝熱過程を通して一定状態のままであり得る（すなわち、蒸発または凝縮しない）。その他の実施形態では、伝熱組成物は蒸発冷却過程で同様に利用され得る。
【００２３】
ヒートシンクは、熱を吸収することができる任意の空間、場所、物体または本体であると定義される。蒸気圧縮冷凍システムは、このようなヒートシンクの一例である。
【００２４】
伝熱システムは、特定の空間において加熱または冷却効果を生じるために使用されるシステム（または装置）である。伝熱システムは、移動システムでも固定システムでもよい。
【００２５】
伝熱システムの例としては、空調装置、冷凍庫、冷蔵庫、ヒートポンプ、ウォーターチラー、満液式蒸発器（ｆｌｏｏｄｅｄ  ｅｖａｐｏｒａｔｏｒ）冷却装置、直接膨張（ｄｉｒｅｃｔ  ｅｘｐａｎｓｉｏｎ）冷却装置、ウォークインクーラー、移動冷蔵庫、移動空調ユニット、除湿機、およびこれらの組み合わせが挙げられるが、これらに限定されない。
【００２６】
本明細書で使用される場合、移動伝熱システムは、道路、鉄道、海また空用の輸送ユニット内に組み込まれた任意の冷凍、空調、または加熱装置を指す。さらに、移動冷凍または空調ユニットは、どの移動キャリアからも独立した「共同一貫輸送」システムとして知られる装置を含む。このような共同一貫輸送システムには、「コンテナ」（海上／陸上輸送の組み合わせ）および「スワップボディ」（道路／鉄道輸送の組み合わせ）が含まれる。
【００２７】
本明細書で使用される場合、固定伝熱システムは、運転中、定位置に固定されるシステムである。固定伝熱システムは様々な建物内に結合されてもよいし、建物に取り付けられてもよく、あるいはソフトドリンクの自動販売機などのように屋外に配置された独立型の装置であってもよい。これらの固定用途は固定空調およびヒートポンプであってもよく、冷却装置、高温ヒートポンプ、住宅用、商業用または工業用の空調システム（住宅用ヒートポンプを含む）が含まれるがこれらに限定されず、そしてウィンドウ型、ダクトレス型、ダクト型、パッケージドターミナル型、およびルーフトップシステムなどの屋外用であるが建物に接続されたものが含まれる。固定冷凍用途では、開示される組成物は、商業用、工業用または住宅用の冷蔵庫および冷凍庫、製氷機、内蔵型クーラーおよび冷凍庫、満液式蒸発器冷却装置、直接膨張冷却装置、ウォークインおよびリーチイン（ｒｅａｃｈ−ｉｎ）クーラーおよび冷凍庫、ならびに組み合わせシステムを含む装置において有用であり得る。いくつかの実施形態では、開示される組成物は、スーパーマーケットの冷凍システムにおいて使用することができる。さらに、固定用途は二次ループシステムを用いることができ、これは、一次冷媒を用いてある場所で冷却を生じ、これを二次伝熱流体を介して離れた場所に伝達する。
【００２８】
冷凍容量（冷却容量と称されることもある）は、循環される冷媒１ポンド当たりの蒸発器内の冷媒のエンタルピーの変化、または蒸発器から出る冷媒蒸気の単位量（容積）当たりの蒸発器内の冷媒によって除去される熱を定義する用語である。冷凍容量は、冷媒または伝熱組成物が冷却をもたらす能力の尺度である。従って、この容量が高いほど、得られる冷却は大きい。冷却速度は、単位時間当たりの蒸発器内の冷媒によって除去される熱を指す。
【００２９】
性能係数（ＣＯＰ）は、除去された熱の量を、サイクルを運転するために必要とされるエネルギー入力で割ったものである。ＣＯＰが高いほど、エネルギー効率は高い。ＣＯＰは、エネルギー効率比（ＥＥＲ）、すなわち、特定の内部および外部温度セットにおける冷凍または空調装置に対する効率評価に直接関連する。
【００３０】
「過冷却（ｓｕｂｃｏｏｌｉｎｇ）」という用語は、液体の温度を、所与の圧力に対するその液体の飽和点よりも低い温度まで低下させることを指す。飽和点は蒸気が完全に液体に凝縮する温度であるが、過冷却は、液体を、所与の圧力でより低い温度の液体に冷却し続ける。液体を飽和温度（または泡立ち点温度）よりも低い温度まで冷却することによって、正味の冷凍容量を増大させることができる。過冷却は、それにより、システムの冷凍容量およびエネルギー効率を改善する。過冷却量は、飽和温度よりも下方への冷却の量（度）である。
【００３１】
過熱は、蒸気組成物がその飽和蒸気温度（組成物が冷却されたときに、液体の最初の一滴が形成される温度であり、「露点」と呼ばれることもある）よりもどの程度高温まで加熱されるかを定義する用語である。
【００３２】
温度勾配（ｔｅｍｐｅｒａｔｕｒｅ  ｇｌｉｄｅ）（単に「勾配」と称されることもある）は、過冷却または過熱を除いて、冷媒システムの構成要素内の冷媒による相変化過程の開始温度と終了温度との差の絶対値である。この用語は、近共沸または非共沸組成物の凝縮または蒸発を説明するために使用され得る。冷凍、空調またはヒートポンプシステムの温度勾配に言及する場合、蒸発器内の温度勾配および凝縮器内の温度勾配の平均である平均温度勾配を示すことが多い。
【００３３】
共沸組成物とは、単一の物質として挙動する２つ以上の物質の定沸点混合物を意味する。共沸組成物を特徴付ける１つの方法は、液体の部分蒸発または蒸留によって生じる蒸気が、それが蒸発または蒸留される液体と同じ組成を有する、すなわち、混合物が組成の変化を伴わずに蒸留／還流されることである。定沸点組成物は、同じ化合物の非共沸混合物と比べて最高沸点または最低沸点のいずれかを示すので、共沸性と特徴付けられる。共沸組成物は、運転中に冷凍または空調システム内で分画しないであろう。さらに、共沸組成物は、冷凍または空調システムからの漏出時に分画しないであろう。
【００３４】
近共沸（ｎｅａｒ−ａｚｅｏｔｒｏｐｉｃ）組成物（一般に「共沸混合物様組成物」とも称される）は、本質的に単一の物質として挙動する２つ以上の物質の実質的に定沸点の液体混合物である。近共沸組成物を特徴付ける１つの方法は、液体の部分蒸発または蒸留によって生じる蒸気が、それが蒸発または蒸留される液体と実質的に同じ組成を有する、すなわち、混合物が実質的な組成の変化を伴わずに蒸留／還流されることである。近共沸組成物を特徴付けるもう１つの方法は、特定の温度における組成物の泡立ち点蒸気圧および露点蒸気圧が実質的に同一であることである。本明細書では、蒸発または沸騰除去などによって組成物の５０重量パーセントが除去された後、元の組成物と、元の組成物の５０重量パーセントが除去された後に残存する組成物との間の蒸気圧の差が約１０パーセント未満であれば、組成物は近共沸性である。
【００３５】
非共沸組成物は、単一の物質というよりはむしろ単純な混合物として挙動する２つ以上の物質の混合物である。非共沸組成物を特徴付ける１つの方法は、液体の部分蒸発または蒸留によって生じる蒸気が、それが蒸発または蒸留される液体と実質的に異なる組成を有する、すなわち、混合物が実質的な組成の変化を伴って蒸留／還流されることである。非共沸組成物を特徴付けるもう１つの方法は、特定の温度における組成物の泡立ち点蒸気圧および露点蒸気圧が実質的に異なることである。本明細書では、蒸発または沸騰除去などによって組成物の５０重量パーセントが除去された後、元の組成物と、元の組成物の５０重量パーセントが除去された後に残存する組成物との間の蒸気圧の差が約１０パーセントよりも大きければ、組成物は非共沸性である。
【００３６】
本明細書で使用される場合、「潤滑剤」という用語は、組成物または圧縮器に添加されて（そして、任意の伝熱システム内での使用において任意の伝熱組成物と接触されて）、圧縮器に潤滑を提供して部品が動かなくならないようにする助けになるあらゆる材料を意味する。
【００３７】
本明細書で使用される場合、相溶化剤は、伝熱システムの潤滑剤中における、開示される組成物のハイドロフルオロカーボンの溶解度を改善する化合物である。いくつかの実施形態では、相溶化剤は、圧縮器への油戻り（ｏｉｌ  ｒｅｔｕｒｎ）を改善する。いくつかの実施形態では、組成物はシステム潤滑剤と共に使用されて、油を多く含む相の粘度を低下させる。
【００３８】
本明細書で使用される場合、油戻りは、伝熱組成物が伝熱システムを通って潤滑剤を運び、そしてそれを圧縮器に戻す能力を指す。すなわち、使用の際、圧縮器潤滑剤の一部が伝熱組成物によって圧縮器からシステムの他の部分へ運び去られることは珍しくない。このようなシステムでは、潤滑剤が圧縮器に効率良く戻されないと、圧縮器は、最終的には、潤滑の欠如のために動かなくなるであろう。
【００３９】
本明細書で使用される場合、「紫外線」色素は、電磁スペクトルの紫外または「近」紫外領域で光を吸収するＵＶ蛍光またはリン光組成物であると定義される。１０ナノメートル〜約７７５ナノメートルの範囲の波長を有する少なくともある程度の放射を放出するＵＶ光による照射下において、ＵＶ蛍光色素によって生じる蛍光が検出され得る。
【００４０】
引火性は、組成物が発火するおよび／または火炎を伝播させる能力を意味するために使用される用語である。冷媒および他の伝熱組成物について、引火下限（「ＬＦＬ」）は、ＡＳＴＭ（米国材料試験協会）Ｅ６８１において規定される試験条件下で、組成物および空気の均一な混合によって火炎を伝播させることができる伝熱組成物の空気中の最低濃度である。引火上限（「ＵＦＬ」）は、同じ試験条件下で、組成物および空気の均一な混合によって火炎を伝播させることができる伝熱組成物の空気中の最高濃度である。ＡＳＨＲＡＥ（Ａｍｅｒｉｃａｎ  Ｓｏｃｉｅｔｙ  ｏｆ  Ｈｅａｔｉｎｇ，Ｒｅｆｒｉｇｅｒａｔｉｎｇ  ａｎｄ  Ａｉｒ−Ｃｏｎｄｉｔｉｏｎｉｎｇ  Ｅｎｇｉｎｅｅｒｓ）によって非引火性であると分類されるためには、冷媒は、液相および気相の両方で配合される際にＡＳＴＭ  Ｅ６８１の条件下で非引火性であり、そして漏出シナリオの間に生じる液相および蒸気相の両方で非引火性でなければならない。
【００４１】
地球温暖化係数（ＧＷＰ）は、二酸化炭素１キログラムの放出と比較して、特定の温室ガス１キログラムの大気中への放出による相対的な地球温暖化寄与を評価するための指数である。ＧＷＰは、異なる対象期間に対して計算することができ、所与のガスについての大気寿命の効果を示す。１００年の対象期間に対するＧＷＰは、一般的に参照される値である。混合物については、各成分の個々のＧＷＰに基づいて、加重平均を計算することができる。
【００４２】
オゾン層破壊係数（ＯＤＰ）は、物質によって引き起こされるオゾン層破壊の量を指す数である。ＯＤＰは、化学物質のオゾンに対する影響を、同様の質量のＣＦＣ−１１（フルオロトリクロロメタン）の影響と比較した比率である。従って、ＣＦＣ−１１のＯＤＰは、１．０であると定義される。その他のＣＦＣおよびＨＣＦＣは、０．０１〜１．０の範囲のＯＤＰを有する。ＨＦＣは塩素を含有しないので、ゼロのＯＤＰを有する。
【００４３】
本明細書で使用される場合、「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語、またはこれらのあらゆる他の変形は、非排他的な包含を網羅することが意図される。例えば、要素のリストを含む組成物、過程、方法、物品、または装置は、必ずしもこれらの要素のみに限定されず、明確に記載されていないか、あるいはこのような組成物、過程、方法、物品、または装置に固有のその他の要素を含んでいてもよい。さらに、反対する明確な記載がない限り、「または」は包括的な「または」を指し、排他的な「または」を指さない。例えば、条件ＡまたはＢは、以下のいずれか１つによって満たされる：Ａが真であり（または存在し）かつＢが偽である（または存在しない）、Ａが偽であり（または存在せず）かつＢが真である（または存在する）、ならびにＡおよびＢの両方が真である（または存在する）。
【００４４】
「からなる（ｃｏｎｓｉｓｔｉｎｇ  ｏｆ）」という移行句は、規定されていないあらゆる要素、工程または成分を排除する。このような句が請求項内にあれば、普通に伴われる不純物を除いて、列挙された以外の材料の包含に対して、この請求項はクローズされるであろう。「からなる（ｃｏｎｓｉｓｔｉｎｇ  ｏｆ）」という句が、序文の直後ではなく請求項の本文に現れる場合、その本文に示される要素を限定するだけであり、その他の要素は全体として請求項から排除されない。
【００４５】
「から本質的になる（ｃｏｎｓｉｓｔｉｎｇ  ｅｓｓｅｎｔｉａｌｌｙ  ｏｆ）」という移行句は、文字通りに開示されたものに加えて、材料、行程、特徴、成分、または要素を含む組成物、方法または装置を定義するために使用されるが、ただし、これらの付加的に含まれる材料、行程、特徴、成分、または要素は、特許請求された発明の基本的および新規の特徴に実質的に影響を与えることを条件とする。「から本質的になる（ｃｏｎｓｉｓｔｉｎｇ  ｅｓｓｅｎｔｉａｌｌｙ  ｏｆ）」という用語は、「含む（ｃｏｍｐｒｉｓｉｎｇ）」と「からなる（ｃｏｎｓｉｓｔｉｎｇ  ｏｆ）」との間の中間の立場をとる。
【００４６】
出願人が「含む（ｃｏｍｐｒｉｓｉｎｇ）」などの制約のない用語で発明またはその一部を定義した場合、その説明は（他に記載されない限り）、「から本質的になる（ｃｏｎｓｉｓｔｉｎｇ  ｅｓｓｅｎｔｉａｌｌｙ  ｏｆ）」または「からなる（ｃｏｎｓｉｓｔｉｎｇ  ｏｆ）」という用語を用いて同様にこのような発明を説明すると解釈されるべきであることは、容易に理解されるはずである。
【００４７】
また、「ａ」または「ａｎ」の使用は、本明細書に記載される要素および成分を説明するために用いられる。これは、単に便宜上、そして本発明の範囲の一般的な意味を与えるために行われる。この説明は、１つまたは少なくとも１つを含むと解釈されるべきであり、そしてそうでないことを意味することが明白でない限り、単数は複数も含む。
【００４８】
他に定義されない限り、本明細書で使用される全ての技術的および科学的用語は本発明が属する技術分野の当業者によって一般に理解されるものと同じ意味を有する。本明細書に記載されるものと類似または等価の方法および材料は、開示される組成物の実施形態の実施または試験において使用することができるが、適切な方法および材料は以下に記載される。本明細書において言及される全ての刊行物、特許出願、特許、および他の参考文献は、特定の一節が引用されない限り、参照によってその全体が援用される。矛盾する場合には、定義を含めて本明細書が支配するであろう。さらに、材料、方法、および実施例は単に例示的であって、限定的であることは意図されない。
【００４９】
組成物
一実施形態では、本発明は、３つの成分、すなわち２，３，３，３−テトラフルオロプロペン（ＨＦＯ−１２３４ｙｆ）と、ジフルオロメタン（ＨＦＣ−３２）と、１，１−ジフルオロエタン（ＨＦＣ−１５２ａ）、３，３，３−トリフルオロプロペン（ＨＦＯ−１２４３ｚｆ）またはこれらの混合物とを含む組成物に関する。本明細書で開示される全ての例示的な実施形態において、ＨＦＯ−１２３４ｙｆは単なる一例として使用されることに注意する。ＨＦＯ−１２３４ｙｆの代わりに、トランス−ＨＦＯ−１２３４ｚｅまたはトランス−ＨＦＯ−１２３４ｚｅとＨＦＯ−１２３４ｙｆとの混合物を使用することもできる。従って、下記および上記の全ての実施例において、ＨＦＯ−１２３４ｙｆはトランス−ＨＦＯ−１２３４ｚｅおよびトランス−ＨＦＯ−１２３４ｚｅとＨＦＯ−１２３４ｙｆとの混合物も意味し、これらが他に示されない限り、本発明、その開示、その特許性、およびその特許請求の範囲の目的のためにも包含されることは理解されるべきである。従って、一般的に言えば、ＨＦＯ−１２３４ｙｆへの言及は、トランス−ＨＦＯ−１２３４ｚｅおよびトランス−ＨＦＯ−１２３４ｚｅとＨＦＯ−１２３４ｙｆとの混合物を含む。
【００５０】
別の実施形態では、本発明は、４つの成分、すなわちＨＦＯ−１２３４ｙｆまたはトランス−ＨＦＯ−１２３４ｚｅまたはこれらの混合物と、ＨＦＣ−３２と、ＨＦＣ−１５２ａと、炭素、水素、およびフッ素を含む飽和化合物を含む少なくとも１つの他のハイドロフルオロカーボンとを含む組成物に関する。
【００５１】
ＨＦＯ−１２３４ｙｆおよびトランス−ＨＦＯ−１２３４ｚｅの混合物は、約１重量パーセント〜約９９重量パーセントのＨＦＯ−１２３４ｙｆと、約１重量パーセント〜約９９重量パーセントのトランス−ＨＦＯ−１２３４ｚｅとを含む。他の実施形態では、ＨＦＯ−１２３４ｙｆは、２つの成分の全重量の百分率で表される以下の含有量：
約１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、および９９重量パーセントの１つから選択される。
【００５２】
他の実施形態では、トランス−ＨＦＯ−１２３４ｚｅは、２つの成分の全重量の百分率で表される以下の含有量：
約１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、および９９重量パーセントの１つから選択される。
【００５３】
２，３，３，３−テトラフルオロプロペンは、ＨＦＯ−１２３４ｙｆ、ＨＦＣ−１２３４ｙｆ、またはＲ１２３４ｙｆと呼ばれることもある。ＨＦＯ−１２３４ｙｆは市販されているか、あるいは脱フッ化水素化（ｄｅｈｙｄｒｏｆｌｕｏｒｉｎａｔｉｏｎ）１，１，１，２，３−ペンタフルオロプロパン（ＨＦＣ−２４５ｅｂ）または１，１，１，２，２−ペンタフルオロプロパン（ＨＦＣ−２４５ｃｂ）などの当該技術分野において既知の方法によって製造することができる。ＨＦＯ−１２３４ｙｆおよびトランス−ＨＦＯ−１２３４ｚｅは、地球温暖化係数が低くオゾン層を破壊しない化合物である。ＨＦＯ−１２３４ｙｆの引火性は２Ｌに分類されるか、あるいはＡＳＨＲＡＥ標準３４−２０１０に従って低引火性である。
【００５４】
トランス−１，３，３，３−テトラフルオロプロペンはトランス−ＨＦＯ−１２３４ｚｅまたはトランス−ＨＦＣ−１２３４ｚｅと呼ばれることもある。トランス−ＨＦＯ−１２３４ｚｅは、１，１，１，２，３−ペンタフルオロプロパン（ＨＦＣ−２４５ｅｂ）または１，１，１，３，３−ペンタフルオロプロパン（ＨＦＣ−２４５ｆａ）の脱フッ化水素化などの当該技術分野において既知の方法によって製造することができる。
【００５５】
ジフルオロメタン（ＨＦＣ−３２またはＲ３２）は市販されているか、あるいは塩化メチレンの脱塩素フッ素化（ｄｅｃｈｌｏｒｏｆｌｕｏｒｉｎａｔｉｏｎ）などの当該技術分野において既知の方法によって製造することができる。ＨＦＣ−３２は、地球温暖化係数が低くオゾン層を破壊しない化合物である。ＨＦＣ−３２の引火性は２Ｌに分類されるか、あるいはＡＳＨＲＡＥ標準３４−２０１０に従って低引火性である。
【００５６】
１，１−ジフルオロエタンは、ＨＦＣ−１５２ａまたはＲ１５２ａと呼ばれることもある。ＨＦＣ−１５２ａは市販されているか、あるいは触媒の存在下における塩化ビニルとフッ化水素との反応などの当該技術分野において既知の方法によって製造することができる。ＨＦＣ−１５２ａは、地球温暖化係数が低くオゾン層を破壊しない化合物である。ＨＦＣ−１５２ａの引火性は２に分類されるか、あるいはＡＳＨＲＡＥ標準３４−２０１０に従って中位の引火性である。
【００５７】
３，３，３−トリフルオロプロペンはＨＦＯ−１２４３ｚｆ、ＨＦＣ−１２４３ｚｆ、またはＴＦＰと呼ばれることもある。ＨＦＯ−１２４３ｚｆは市販されているか、あるいは米国特許第５，９８６，１５１号明細書に記載されるように１，３，３，３−テトラフルオロプロペンの水素化で１，１，１，３−テトラフルオロプロパンを得てから、１，１，１，３−テトラフルオロプロパンを脱フッ化水素化するなどの当該技術分野において既知の方法によって製造することができる。本発明の組成物は、冷却または加熱をもたらすための方法において伝熱流体、発泡剤、およびエアロゾル噴射剤として有用であるが、同時にこれらの組成物は、実質的な引火性の増大を伴わずに冷却容量およびエネルギー効率を維持しながら冷媒コストを低減するのに役立ち得ることが見出された。一般に、本発明の好ましい実施形態の引火性は２Ｌレベルであり、確実に２以下である。
【００５８】
ＨＦＯ−１２３４ｙｆまたはトランス−ＨＦＯ−１２３４ｚｅまたはこれらの混合物、およびＨＦＣ−３２はいずれも、比較的高いＧＷＰを有する特定の冷媒および冷媒混合物に対する低ＧＷＰ代替品であると考えられている。特に、Ｒ−４０４Ａは３９２２のＧＷＰを有し、代替品を必要としているであろう。さらに、事実上Ｒ−４０４Ａと同一の特性を有し、そのため多数のＲ−４０４Ａシステムにおいて使用することができるＲ５０７（５０重量％のＨＦＣ−１２５および５０重量％のＨＦＣ−１４３ａを含有する混合物に対するＡＳＨＲＡＥ名称）は、３９８５に等しいＧＷＰを有し、従って、同様に代替品を必要としているであろう。同様に、Ｒ−２２およびＲ−４０７Ｃはそれぞれ、１８１０および１７７４のＧＷＰを有する。また、現在多くの用途で冷媒として使用されているＨＦＣ−１３４ａ（テトラフルオロエタン、特に１，１，１，２−テトラフルオロエタン）は１４３０のＧＷＰを有し、代替品を必要としている。
【００５９】
本発明は一般に、ＨＦＯ−１２３４ｙｆまたはトランス−ＨＦＯ−１２３４ｚｅまたはこれらの混合物、およびＨＦＣ−３２の成分に加えて、ＨＦＣ−１５２ａを含む組成物に関する。本発明の一実施形態では、本明細書に記載される３成分系は、Ｒ−１３４ａ、Ｒ−２２、Ｒ−４０７Ｃ、およびＲ−４０４Ａなどの現存の冷媒（以下の定義を参照）に対して少なくとも約７５％の冷却容量を維持しながら、総ＧＷＰを３００未満に低下させ得ることが見出された。
【００６０】
本発明のいくつかの実施形態では、組成物は、炭素、水素、およびフッ素（以下、「飽和ＨＦＣ」）を含む飽和化合物を含む少なくとも１つの他のハイドロフルオロカーボンを含んでいてもよく、１〜７個の炭素原子を有し、約−９０℃〜約８０℃の標準沸点を有するハイドロフルオロカーボンを含む。このような飽和ＨＦＣは、Ｅ．Ｉ．ｄｕ  Ｐｏｎｔ  ｄｅ  Ｎｅｍｏｕｒｓ  ＆  Ｃｏ．，Ｆｌｕｏｒｏｐｒｏｄｕｃｔｓ，Ｗｉｌｍｉｎｇｔｏｎ，ＤＥ，１９８９８，ＵＳＡなどのいくつかの供給元から入手可能な市販の製品であるか、あるいは当該技術分野において既知の方法によって調製することができる。代表的な飽和ＨＦＣ化合物としては、フルオロメタン（ＣＨ３Ｆ、ＨＦＣ−４１）、トリフルオロメタン（ＣＨＦ３、ＨＦＣ−２３）、ペンタフルオロエタン（ＣＦ３ＣＨＦ２、ＨＦＣ−１２５）、１，１，２，２−テトラフルオロエタン（ＣＨＦ２ＣＨＦ２、ＨＦＣ−１３４）、１，１，１，２−テトラフルオロエタン（ＣＦ３ＣＨ２Ｆ、ＨＦＣ−１３４ａ）、１，１，１−トリフルオロエタン（ＣＦ３ＣＨ３、ＨＦＣ−１４３ａ）、フルオロエタン（ＨＦＣ−１６１、ＣＨ３ＣＨ２Ｆ）、１，１，１，２，２，３，３−ヘプタフルオロプロパン（ＣＦ３ＣＦ２ＣＨＦ２、ＨＦＣ−２２７ｃａ）、１，１，１，２，３，３，３−ヘプタフルオロプロパン（ＣＦ３ＣＨＦＣＦ３、ＨＦＣ−２２７ｅａ）、１，１，２，２，３，３，−ヘキサフルオロプロパン（ＣＨＦ２ＣＦ２ＣＨＦ２、ＨＦＣ−２３６ｃａ）、１，１，１，２，２，３−ヘキサフルオロプロパン（ＣＦ３ＣＦ３ＣＨ２Ｆ、ＨＦＣ−２３６ｃｂ）、１，１，１，２，３，３−ヘキサフルオロプロパン（ＣＦ３ＣＨＦＣＨＦ２、ＨＦＣ−２３６ｅａ）、１，１，１，３，３，３−ヘキサフルオロプロパン（ＣＦ３ＣＨ２ＣＦ３、ＨＦＣ−２３６ｆａ）、１，１，２，２，３−ペンタフルオロプロパン（ＣＨＦ２ＣＦ２ＣＨ２Ｆ、ＨＦＣ−２４５ｃａ）、１，１，１，２，２−ペンタフルオロプロパン（ＣＦ３ＣＦ２ＣＨ３、ＨＦＣ−２４５ｃｂ）、１，１，２，３，３−ペンタフルオロプロパン（ＣＨＦ２ＣＨＦＣＨＦ２、ＨＦＣ−２４５ｅａ）、１，１，１，２，３−ペンタフルオロプロパン（ＣＦ３ＣＨＦＣＨ２Ｆ、ＨＦＣ−２４５ｅｂ）、１，１，１，３，３−ペンタフルオロプロパン（ＣＦ３ＣＨ２ＣＨＦ２、ＨＦＣ−２４５ｆａ）、１，２，２，３−テトラフルオロプロパン（ＣＨ２ＦＣＦ２ＣＨ２Ｆ、ＨＦＣ−２５４ｃａ）、１，１，２，２−テトラフルオロプロパン（ＣＨＦ２ＣＦ２ＣＨ３、ＨＦＣ−２５４ｃｂ）、１，１，２，３−テトラフルオロプロパン（ＣＨＦ２ＣＨＦＣＨ２Ｆ、ＨＦＣ−２５４ｅａ）、１，１，１，２−テトラフルオロプロパン（ＣＦ３ＣＨＦＣＨ３、ＨＦＣ−２５４ｅｂ）、１，１，３，３−テトラフルオロプロパン（ＣＨＦ２ＣＨ２ＣＨＦ２、ＨＦＣ−２５４ｆａ）、１，１，１，３−テトラフルオロプロパン（ＣＦ３ＣＨ２ＣＨ２Ｆ、ＨＦＣ−２５４ｆｂ）、１，１，１−トリフルオロプロパン（ＣＦ３ＣＨ２ＣＨ３、ＨＦＣ−２６３ｆｂ）、２，２−ジフルオロプロパン（ＣＨ３ＣＦ２ＣＨ３、ＨＦＣ−２７２ｃａ）、１，２−ジフルオロプロパン（ＣＨ２ＦＣＨＦＣＨ３、ＨＦＣ−２７２ｅａ）、１，３−��フルオロプロパン（ＣＨ２ＦＣＨ２ＣＨ２Ｆ、ＨＦＣ−２７２ｆａ）、１，１−ジフルオロプロパン（ＣＨＦ２ＣＨ２ＣＨ３、ＨＦＣ−２７２ｆｂ）、２−フルオロプロパン（ＣＨ３ＣＨＦＣＨ３、ＨＦＣ−２８１ｅａ）、１−フルオロプロパン（ＣＨ２ＦＣＨ２ＣＨ３、ＨＦＣ−２８１ｆａ）、１，１，２，２，３，３，４，４−オクタフルオロブタン（ＣＨＦ２ＣＦ２ＣＦ２ＣＨＦ２、ＨＦＣ−３３８ｐｃｃ）、１，１，１，２，２，４，４，４−オクタフルオロブタン（ＣＦ３ＣＨ２ＣＦ２ＣＦ３、ＨＦＣ−３３８ｍｆ）、１，１，１，３，３−ペンタフルオロブタン（ＣＦ３ＣＨ２ＣＨＦ２、ＨＦＣ−３６５ｍｆｃ）、１，１，１，２，３，４，４，５，５，５−デカフルオロペンタン（ＣＦ３ＣＨＦＣＨＦＣＦ２ＣＦ３、ＨＦＣ−４３−１０ｍｅｅ）、および１，１，１，２，２，３，４，５，５，６，６，７，７，７−テトラデカフルオロヘプタン（ＣＦ３ＣＦ２ＣＨＦＣＨＦＣＦ２ＣＦ２ＣＦ３、ＨＦＣ−６３−１４ｍｅｅ）が挙げられるが、これらに限定されない。
【００６１】
その他の飽和ＨＦＣ化合物として特に有用であるのは、ＨＦＣ−１３４、ＨＦＣ−１３４ａ、ＨＦＣ−１２５（ペンタフルオロエタン）、ＨＦＣ−２３（トリフルオロメタン）、ＨＦＣ−２３６ｆａ（１，１，１，３，３，３−ヘキサフルオロプロパン）、ＨＦＣ−２２７ｅａ（１，１，１，２，３，３，３−ヘプタフルオロプロパン）、およびＣＦ３Ｉを含む、非引火性フルオロカーボン冷媒であろう。これらは全て、その燃えにくい性質のために、引火性特性を改善するために添加され得る。
【００６２】
例示的実施形態１
本発明の第１の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａ、ＨＦＯ−１２４３ｚｆまたはこれらの混合物とを含み、前記ＨＦＯ−１２３４ｙｆまたはトランス−ＨＦＯ−１２３４ｚｅまたはこれらの混合物は、約５６重量パーセントよりも多い。
【００６３】
この実施形態の組成物に関して、ＨＦＯ−１２３４ｙｆまたはトランス−ＨＦＯ−１２３４ｚｅまたはこれらの混合物の含有量は全組成物の重量の約５６重量パーセントよりも多いが、同時にいくらかの量のＨＦＣ−３２およびいくらかの量のＨＦＣ−１５２ａが常にこの実施形態の組成物中に存在することは理解されるべきである。
【００６４】
この実施形態の組成物に関して：
（Ａ１）ＨＦＯ−１２３４ｙｆまたはトランス−ＨＦＯ−１２３４ｚｅまたはこれらの混合物の含有量は、組成物の約５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、９８重量％、または約９９重量％であり得る。
（Ｂ１）ＨＦＣ−３２は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。そして、
（Ｃ１）ＨＦＣ−１５２ａまたはＨＦＯ−１２４３ｚｆまたはこれらの混合物の含有量は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。
【００６５】
また、この実施形態の組成物に関して：
（Ａ１’）ＨＦＯ−１２３４ｙｆまたはトランス−ＨＦＯ−１２３４ｚｅまたはこれらの混合物の含有量は、上記の特定の重量パーセント数の間である重量パーセント数であってもよい。例えば、ＨＦＯ−１２３４ｙｆまたはトランス−ＨＦＯ−１２３４ｚｅまたはこれらの混合物は、組成物の約５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５重量％、８６．５重量％、８７．５重量％、８８．５重量％、８９．５重量％、９０．５重量％、９１．５重量％、９２．５重量％、９３．５重量％、９４．５重量％、９５．５重量％、９６．５重量％、９７．５重量％、９８．５重量％であり得る。
（Ｂ１’）ＨＦＣ−３２の含有量は、上記の特定の重量パーセント数の間である重量パーセント数であってもよい。例えば、ＨＦＣ−３２は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．重量％５、１８．５重量％、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、または約４３．５重量％であり得る。そして、
（Ｃ１’）ＨＦＣ−１５２ａまたはＨＦＯ−１２４３ｚｆまたはこれらの混合物の含有量は、上記の特定の重量パーセント数の間である重量パーセント数であってもよい。例えば、ＨＦＣ−１５２ａは、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５重量％、１７．５重量％、１８．５重量％、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、または約４３．５重量％であり得る。
（Ｄ１）代替の実施形態では、上記のように、少なくとも１つの飽和ＨＦＣも上記の組成物中に含まれ得る。組成物の全重量に対する前記少なくとも１つの飽和ＨＦＣの重量パーセントは、約０重量パーセント〜約１０重量パーセントの範囲であり得る。組成物中の前記少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【００６６】
同様に、上記の４つの成分の含有量に関して、上記の整数の間のその他の数、例えば、５６．１、５６．２、５６．３なども含まれ得る。
【００６７】
ＨＦＯ−１２３４ｙｆまたはトランス−ＨＦＯ−１２３４ｚｅまたはこれらの混合物は、上記の段落（Ａ１）および（Ａ１’）内の任意の２つの数によって形成される重量パーセント組成範囲内であり得ることも理解されるべきである。同様に、ＨＦＣ−３２は、上記段落（Ｂ１）および（Ｂ１’）内の任意の２つの数によって形成される重量パーセント組成範囲内であり、ＨＦＣ−１５２ａは、上記段落（Ｃ１）および（Ｃ１’）内の任意の２つの数によって形成される重量パーセント組成範囲内であり、前記少なくとも１つの飽和ＨＦＣは、段落Ｄ１内の任意の２つの数によって形成される重量パーセント組成範囲内であり得る。
【００６８】
注目すべき組成物としては、
約５６〜約９８重量パーセントのＨＦＯ−１２３４ｙｆまたはトランス−ＨＦＯ−１２３４ｚｅまたはこれらの混合物と、約１〜約２９重量パーセントのＨＦＣ−３２と、約１〜約１８重量パーセントのＨＦＣ−１５２ａ、ＨＦＯ−１２４３ｚｆ、またはこれらの混合物とを含む組成物、
約６０〜約９０重量パーセントのＨＦＯ−１２３４ｙｆまたはトランス−ＨＦＯ−１２３４ｚｅまたはこれらの混合物と、約５〜約２５重量パーセントのＨＦＣ−３２と、約５〜約１５重量パーセントのＨＦＣ−１５２ａ、ＨＦＯ−１２４３ｚｆ、またはこれらの混合物とを含む組成物、
約７５〜約８５重量パーセントのＨＦＯ−１２３４ｙｆまたはトランス−ＨＦＯ−１２３４ｚｅまたはこれらの混合物と、約１０重量パーセントのＨＦＣ−３２と、約５〜約１５重量パーセントのＨＦＣ−１５２ａ、ＨＦＯ−１２４３ｚｆ、またはこれらの混合物とを含む組成物、および
約５８〜約７３．５重量パーセントのＨＦＯ−１２３４ｙｆまたはトランス−ＨＦＯ−１２３４ｚｅまたはこれらの混合物と、約２１．５重量パーセントのＨＦＣ−３２と、約５〜約２０重量パーセントのＨＦＣ−１５２ａ、ＨＦＯ−１２４３ｚｆ、またはこれらの混合物とを含む組成物
が挙げられる。
【００６９】
この実施形態に関して著しく有用なのは、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１８重量パーセントのＨＦＣ−１５２ａ、ＨＦＯ−１２４３ｚｆ、またはこれらの混合物とを含む組成物である。注目すべきは、約７５〜８５重量パーセントのＨＦＯ−１２３４ｙｆと、約１０重量パーセントのＨＦＣ−３２と、約５−１５重量パーセントのＨＦＣ−１５２ａ、ＨＦＯ−１２４３ｚｆ、またはこれらの混合物とを含む組成物である。これらの組成物は、Ｒ−１３４ａの低ＧＷＰ代替品を提供する。
【００７０】
同様にこの実施形態に関して著しく有用なのは、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１５重量パーセントのＨＦＣ−１５２ａ、ＨＦＯ−１２４３ｚｆ、またはこれらの混合物とを含む組成物である。
【００７１】
同様に有用なのは、約５８〜約７４重量パーセントのＨＦＯ−１２３４ｙｆと、約２１．５重量パーセントのＨＦＣ−３２と、約５〜約２０重量パーセントのＨＦＣ−１５２ａとを含み、Ｒ−２２の低ＧＷＰ代替品を提供する組成物である。同様に、約５８〜約７４重量パーセントのＨＦＯ−１２３４ｙｆと、約２１．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０７Ｃの低ＧＷＰ代替品を提供する組成物である。
【００７２】
同様に有用なのは、約５６重量パーセント〜約７２重量パーセントのＨＦＯ−１２３４ｙｆと、約８重量パーセント〜約３９重量パーセントのＨＦＣ−３２と、約５重量パーセント〜約２０重量パーセントのＨＦＣ−１５２ａとを含み、Ｒ−２２の低ＧＷＰ代替品を提供する組成物である。同様に、約５６重量パーセント〜約７２重量パーセントのＨＦＯ−１２３４ｙｆと、約８重量パーセント〜約３９重量パーセントのＨＦＣ−３２と、約５重量パーセント〜約２０重量パーセントのＨＦＣ−１５２ａとを含み、Ｒ−４０７Ｃの低ＧＷＰ代替品を提供する組成物である。
【００７３】
同様に特に有用なのは、約５６重量パーセント〜約６２重量パーセントのＨＦＯ−１２３４ｙｆと、約８重量パーセント〜約２９重量パーセントのＨＦＣ−３２と、約５重量パーセント〜約２０重量パーセントのＨＦＣ−１５２ａと、約１０重量パーセントのＨＦＣ−１３４ａとを含み、Ｒ−２２の低ＧＷＰ代替品を提供する組成物である。同様に、約５６重量パーセント〜約６２重量パーセントのＨＦＯ−１２３４ｙｆと、約８重量パーセント〜約２９重量パーセントのＨＦＣ−３２と、約５重量パーセント〜約２０重量パーセントのＨＦＣ−１５２ａと、約１０重量パーセントのＨＦＣ−１３４ａとを含み、Ｒ−４０７Ｃの低ＧＷＰ代替品を提供する組成物である。
【００７４】
この実施形態に関して特に有用なのは、約５６〜約９８重量パーセントのトランス−ＨＦＯ−１２３４ｚｅと、約１〜約４３重量パーセントのＨＦＣ−３２と、約１〜約２０重量パーセントのＨＦＣ−１５２ａ、ＨＦＯ−１２４３ｚｆ、またはこれらの混合物とを含む組成物である。
【００７５】
同様に注目すべきは、約７５〜約８５重量パーセントのトランス−ＨＦＯ−１２３４ｚｅと、約１０重量パーセントのＨＦＣ−３２と、約５〜約１５重量パーセントのＨＦＣ−１５２ａ、ＨＦＯ−１２４３ｚｆ、またはこれらの混合物とを含み、改善された冷却性能を有するＲ−１３４ａの低ＧＷＰ代替品を提供する組成物である。
【００７６】
別の実施形態では、約３７〜約５３重量パーセントのトランス−ＨＦＯ−１２３４ｚｅと、約４２．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【００７７】
例示的実施形態２
本発明の第２の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａとを含み、前記ＨＦＣ−３２成分は、全組成物の重量の約２９重量パーセント未満である。しかし同時に、いくらかの量のＨＦＯ−１２３４ｙｆまたはトランス−ＨＦＯ−１２３４ｚｅまたはこれらの混合物と、いくらかの量のＨＦＣ−１５２ａ、ＨＦＯ−１２４３ｚｆ、またはこれらの混合物とが常に本発明の組成物中に存在する。
【００７８】
この実施形態の組成物に関して：
（Ａ２）ＨＦＯ−１２３４ｙｆまたはトランス−ＨＦＯ−１２３４ｚｅまたはこれらの混合物の含有量は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％  ３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、９８重量％、または約９９重量％であり得る。
（Ｂ２）ＨＦＣ−３２は約１％〜約２９％の範囲内の任意の数でよく、例えば、ＨＦＣ−３２は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、または約２９重量％であり得る。そして、
（Ｃ２）ＨＦＣ−１５２ａの含有量は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％  ３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、９８重量％、または約９９重量％であり得る。
【００７９】
この実施形態の組成物に関して：
（Ａ２’）ＨＦＯ−１２３４ｙｆまたはトランス−ＨＦＯ−１２３４ｚｅまたはこれらの混合物の含有量は、上記の特定の重量パーセント数の間である重量パーセント数であってもよい。例えば、ＨＦＯ−１２３４ｙｆまたはトランス−ＨＦＯ−１２３４ｚｅまたはこれらの混合物は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、４３．５重量％、４４．５重量％、４５．５重量％、４６．５重量％、４７．５重量％、４８．５重量％、４９．５重量％、５０．５重量％、５１．５重量％、５２．５重量％、５３．５重量％、５４．５重量％、５５．５重量％、５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５．重量％、８６．５重量％、８７．５重量％  ８８．５重量％、８９．５重量％、９０．５重量％、９１．５重量％、９２．５重量％、９３．５重量％、９４．５重量％、９５．５．重量％、９６．５重量％、９７．５重量％、または約９８．５重量％であり得る。
（Ｂ２’）ＨＦＣ−３２の含有量は、上記の特定の重量パーセント数の間である重量パーセント数であってもよい。例えば、ＨＦＣ−３２は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、または約２８．５重量％であり得る。
（Ｃ２’）ＨＦＣ−１５２ａの含有量は、上記の特定の重量パーセント数の間である重量パーセント数であってもよい。例えば、ＨＦＣ−１５２ａは、組成物の約１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、４３．５重量％、４４．５重量％、４５．５重量％、４６．５重量％、４７．５重量％、４８．５重量％、４９．５重量％、５０．５重量％、５１．５重量％、５２．５重量％、５３．５重量％、５４．５重量％、５５．５重量％、５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５．重量％、８６．５重量％、８７．５重量％  ８８．５重量％、８９．５重量％、９０．５重量％、９１．５重量％、９２．５重量％、９３．５重量％、９４．５重量％、９５．５．重量％、９６．５重量％、９７．５重量％、または約９８．５重量％であり得る。
（Ｄ２）代替の実施形態では、少なくとも１つの飽和ＨＦＣも上記の組成物中に含まれ得る。組成物の全重量に対する前記少なくとも１つの飽和ＨＦＣの重量パーセントは、約０％〜約１０％の範囲であり得る。組成物中の前記少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【００８０】
同様に、上記の４つの成分の含有量に関して、上記の整数の間のその他の数、例えば、５６．１、５６．２、５６．３なども含まれ得る。
【００８１】
ＨＦＯ−１２３４ｙｆまたはトランス−ＨＦＯ−１２３４ｚｅまたはこれらの混合物は、上記の段落（Ａ２）および（Ａ２’）内の任意の２つの数によって形成される重量パーセント組成範囲内であり得ることも理解されるべきである。同様に、ＨＦＣ−３２は、上記の段落（Ｂ２）および（Ｂ２’）内の任意の２つの数によって形成される重量パーセント組成範囲内であり、ＨＦＣ−１５２ａは、上記の段落（Ｃ２）および（Ｃ２’）内の任意の２つの数によって形成される重量パーセント組成範囲内であり、前記少なくとも１つの飽和ＨＦＣは、段落Ｄ２内の任意の２つの数によって形成される重量パーセント組成範囲内であり得る。
【００８２】
この実施形態に関して特に有用なのは、約５６〜約９８重量パーセントのＨＦＯ−１２３４ｙｆまたはＨＦＯ−１２３４ｚｅまたはこれらの混合物と、約１〜約２９重量パーセントのＨＦＣ−３２と、約１〜約１５重量パーセントのＨＦＣ−１５２ａとを含む組成物である。
【００８３】
同様に特に有用なのは、約７５〜約８５重量パーセントのＨＦＯ−１２３４ｙｆまたはトランス−ＨＦＯ−１２３４ｚｅまたはこれらの混合物と、約１０重量パーセントのＨＦＣ−３２と、約５〜約１５重量パーセントのＨＦＣ−１５２ａ、ＨＦＯ−１２４３ｚｆ、またはこれらの混合物とを含む組成物である。
【００８４】
同様に特に有用なのは、約５８〜約７３．５重量パーセントのＨＦＯ−１２３４ｙｆまたはトランス−ＨＦＯ−１２３４ｚｅまたはこれらの混合物と、約２１．５重量パーセントのＨＦＣ−３２と、約５〜約２０重量パーセントのＨＦＣ−１５２ａ、ＨＦＯ−１２４３ｚｆ、またはこれらの混合物とを含む組成物である。
【００８５】
注目すべきは、約７５〜約８５重量パーセントのＨＦＯ−１２３４ｙｆと、約１０重量パーセントのＨＦＣ−３２と、約５〜約１５重量パーセントのＨＦＣ−１５２ａ、ＨＦＯ−１２４３ｚｆ、またはこれらの混合物とを含む組成物である。これらの組成物は、Ｒ−１３４ａの低ＧＷＰ代替品を提供する。
【００８６】
例示的実施形態３
本発明の第３の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａとを含み、前記ＨＦＣ−１５２ａは、約５６重量パーセントよりも多い。しかし同時に、いくらかの量のＨＦＯ−１２３４ｙｆまたはトランス−ＨＦＯ−１２３４ｚｅまたはこれらの混合物と、いくらかの量のＨＦＣ−３２とが常に本発明の組成物中に存在する。
【００８７】
この実施形態の組成物に関して：
（Ａ３）ＨＦＯ−１２３４ｙｆまたはトランス−ＨＦＯ−１２３４ｚｅまたはこれらの混合物の含有量は約１％〜約４３％の範囲内の任意の数でよく、例えば、ＨＦＯ−１２３４ｙｆまたはトランス−ＨＦＯ−１２３４ｚｅまたはこれらの混合物は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。
（Ｂ３）ＨＦＣ−３２は約１％〜約４３％の範囲内の任意の数でよく、例えば、ＨＦＣ−３２は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。そして、
（Ｃ３）ＨＦＣ−１５２ａの含有量は、組成物の約５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、または約９８重量％であり得る。
【００８８】
この実施形態の組成物に関して：
（Ａ３’）ＨＦＯ−１２３４ｙｆまたはトランス−ＨＦＯ−１２３４ｚｅまたはこれらの混合物の含有量は、上記の特定の重量パーセント数の間である重量パーセント数であってもよい。例えば、ＨＦＯ−１２３４ｙｆまたはトランス−ＨＦＯ−１２３４ｚｅまたはこれらの混合物は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、または約４３．５重量％であり得る。
（Ｂ３’）ＨＦＣ−３２の含有量は、上記の特定の重量パーセント数の間である重量パーセント数であってもよい。例えば、ＨＦＣ−３２は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、または約４３．５重量％であり得る。そして、
（Ｃ３’）ＨＦＣ−１５２ａの含有量は、上記の特定の重量パーセント数の間である重量パーセント数であってもよい。例えば、ＨＦＣ−１５２ａは、組成物の約５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５重量％、８６．５重量％、８７．５重量％、８８．５重量％、８９．５重量％、９０．５重量％、９１．５重量％、９２．５重量％、９３．５重量％、９４．５重量％、９５．５重量％、９６．５重量％、９７．５重量％、または約９８．５重量％であり得る。
（Ｄ３）代替の実施形態では、少なくとも１つの飽和ＨＦＣも上記の組成物中に含まれ得る。組成物の全重量に対する前記少なくとも１つの飽和ＨＦＣの重量パーセントは、約０％〜約１０％の範囲であり得る。組成物中の前記少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【００８９】
同様に、上記の４つの成分の含有量に関して、上記の整数の間のその他の数、例えば、５６．１、５６．２、５６．３なども含まれ得る。
【００９０】
ＨＦＯ−１２３４ｙｆまたはトランス−ＨＦＯ−１２３４ｚｅまたはこれらの混合物は、上記の段落（Ａ３）および（Ａ３’）内の任意の２つの数によって形成される重量パーセント組成範囲内であり得ることも理解されるべきである。同様に、ＨＦＣ−３２は、上記の段落（Ｂ３）および（Ｂ３’）内の任意の２つの数によって形成される重量パーセント組成範囲内であり、ＨＦＣ−１５２ａは、上記の段落（Ｃ３）および（Ｃ３’）内の任意の２つの数によって形成される重量パーセント組成範囲内であり、前記少なくとも１つの飽和ＨＦＣは、段落Ｄ３内の任意の２つの数によって形成される重量パーセント組成範囲内であり得る。
【００９１】
特に有用なのは、約１重量パーセント〜約４３重量パーセントのＨＦＯ−１２３４ｙｆまたはトランス−ＨＦＯ−１２３４ｚｅまたはこれらの混合物と、約１重量パーセント〜約４３重量パーセントのＨＦＣ−３２と、約５６重量パーセント〜約９８重量パーセントの１５２ａとを含む組成物である。
【００９２】
同様に特に有用なのは、約２０重量パーセント〜約３０重量パーセントのＨＦＯ−１２３４ｙｆまたはトランス−ＨＦＯ−１２３４ｚｅまたはこれらの混合物と、約１０重量パーセントのＨＦＣ−３２と、約６０重量パーセント〜約７０重量パーセントのＨＦＣ−１５２ａとを含み、Ｒ−１３４ａの低ＧＷＰ代替品を提供する組成物である。
【００９３】
例示的実施形態４
本発明の第４の例示的実施形態では、本発明の組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａ、ＨＦＯ−１２４３ｚｆ、またはこれらの混合物とを含み、前記ＨＦＣ−１５２ａ、ＨＦＯ−１２４３ｚｆまたはこれらの混合物は、約１４重量パーセント〜約１６重量パーセントの範囲である。
【００９４】
この実施形態の組成物に関して：
（Ａ４）ＨＦＯ−１２３４ｙｆまたはトランス−ＨＦＯ−１２３４ｚｅまたはこれらの混合物の含有量は約０．５％〜約８５．５％の範囲内の任意の数でよく、先行する数に対して組成物の０．１重量％増分である範囲内の全ての数を含む。
（Ｂ４）ＨＦＣ−３２は約０．５％〜約８５．５％の範囲内の任意の数でよく、先行する数に対して組成物の０．１重量％増分である範囲内の全ての数を含む。そして、
（Ｃ４）ＨＦＣ−１５２ａ、ＨＦＯ−１２４３ｚｆまたはこれらの混合物の含有量は、組成物の約１４重量％、１４．５重量％、１５重量％、１５．５重量％、または約１６重量％であり得る。
（Ｄ４）代替の実施形態では、少なくとも１つの飽和ＨＦＣも上記の組成物中に含まれ得る。組成物の全重量に対するＨＦＣ−１３４ａの重量パーセントは、約０％〜約１０％の範囲であり得る。組成物中のＨＦＣ−１３４ａの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【００９５】
同様に、上記の４つの成分の含有量に関して、上記の整数の間のその他の数、例えば、５６．１、５６．２、５６．３なども含まれ得る。
【００９６】
ＨＦＯ−１２３４ｙｆまたはトランス−ＨＦＯ−１２３４ｚｅまたはこれらの混合物は、上記の段落（Ａ４）内の任意の２つの数によって形成される重量パーセント組成範囲内であり得ることも理解されるべきである。同様に、ＨＦＣ−３２は、上記の段落（Ｂ４）内の任意の２つの数によって形成される重量パーセント組成範囲内であり、ＨＦＣ−１５２ａは、上記の段落（Ｃ４）内の任意の２つの数によって形成される重量パーセント組成範囲内であり、前記少なくとも１つの飽和ＨＦＣは、段落Ｄ４内の任意の２つの数によって形成される重量パーセント組成範囲内であり得る。
【００９７】
例示的実施形態５
本発明の第５の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａ、ＨＦＯ−１２４３ｚｆ、またはこれらの混合物とを含み、前記ＨＦＣ−３２成分は、全組成物の約５６重量％よりも多い。しかし同時に、いくらかの量のＨＦＯ−１２３４ｙｆまたはトランス−ＨＦＯ−１２３４ｚｅまたはこれらの混合物と、いくらかの量のＨＦＣ−１５２ａ、ＨＦＯ−１２４３ｚｆまたはこれらの混合物とが常に本発明の組成物中に存在する。
【００９８】
この実施形態の組成物に関して：
（Ａ５）ＨＦＯ−１２３４ｙｆまたはトランス−ＨＦＯ−１２３４ｚｅまたはこれらの混合物の含有量は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％  ３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。
（Ｂ５）ＨＦＣ−３２は約１％〜約２９％の範囲内の任意の数でよく、例えば、ＨＦＣ−３２は、組成物の約５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、９８重量％、または約９９重量％であり得る。そして、
（Ｃ５）ＨＦＣ−１５２ａの含有量は、組成物の約１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％  ３０重量％、３１重量％、３２重量％、３３重量％、３４重量％、３５重量％、３６重量％、３７重量％、３８重量％、３９重量％、４０重量％、４１重量％、４２重量％、または約４３重量％であり得る。
【００９９】
この実施形態の組成物に関して：
（Ａ５’）ＨＦＯ−１２３４ｙｆまたはトランス−ＨＦＯ−１２３４ｚｅまたはこれらの混合物の含有量は、上記の特定の重量パーセント数の間である重量パーセント数であってもよい。例えば、ＨＦＯ−１２３４ｙｆまたはトランス−ＨＦＯ−１２３４ｚｅまたはこれらの混合物は、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、または約４３．５重量％であり得る。
（Ｂ５’）ＨＦＣ−３２の含有量は、上記の特定の重量パーセント数の間である重量パーセント数であってもよい。例えば、ＨＦＣ−３２は、組成物の約５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５．重量％、８６．５重量％、８７．５重量％  ８８．５重量％、８９．５重量％、９０．５重量％、９１．５重量％、９２．５重量％、９３．５重量％、９４．５重量％、９５．５．重量％、９６．５重量％、９７．５重量％、または約９８．５重量％であり得る。
（Ｃ５’）ＨＦＣ−１５２ａの含有量は、上記の特定の重量パーセント数の間である重量パーセント数であってもよい。例えば、ＨＦＣ−１５２ａは、組成物の約０．５重量％、１．５重量％、２．５重量％、３．５重量％、４．５重量％、５．５重量％、６．５重量％、７．５重量％、８．５重量％、９．５重量％、１０．５重量％、１１．５重量％、１２．５重量％、１３．５重量％、１４．５重量％、１５．５重量％、１６．５、１７．５、１８．５、１９．５重量％、２０．５重量％、２１．５重量％、２２．５重量％、２３．５重量％、２４．５重量％、２５．５重量％、２６．５重量％、２７．５重量％、２８．５重量％、２９．５重量％、３０．５重量％、３１．５重量％、３２．５重量％、３３．５重量％、３４．５重量％、３５．５重量％、３６．５重量％、３７．５重量％、３８重量％、３９．５重量％、４０．５重量％、４１．５重量％、４２．５重量％、４３．５重量％、４４．５重量％、４５．５重量％、４６．５重量％、４７．５重量％、４８．５重量％、４９．５重量％、５０．５重量％、５１．５重量％、５２．５重量％、５３．５重量％、５４．５重量％、５５．５重量％、５６．５重量％、５７．５重量％、５８．５重量％、５９．５重量％、６０．５重量％、６１．５重量％、６２．５重量％、６３．５重量％、６４．５重量％、６５．５重量％、６６．５重量％、６７．５重量％、６８．５重量％、６９．５重量％、７０．５重量％、７１．５重量％、７２．５重量％、７３．５重量％、７４．５重量％、７５．５重量％、７６．５重量％、７７．５重量％、７８．５重量％、７９．５重量％、８０．５重量％、８１．５重量％、８２．５重量％、８３．５重量％、８４．５重量％、８５．５．重量％、８６．５重量％、８７．５重量％  ８８．５重量％、８９．５重量％、９０．５重量％、９１．５重量％、９２．５重量％、９３．５重量％、９４．５重量％、９５．５．重量％、９６．５重量％、９７．５重量％、または約９８．５重量％であり得る。
（Ｄ５）代替の実施形態では、少なくとも１つの飽和ＨＦＣも上記の組成物中に含まれ得る。組成物の全重量に対する前記少なくとも１つの飽和ＨＦＣの重量パーセントは、約０％〜約１０％の範囲であり得る。組成物中の少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【０１００】
同様に、上記の４つの成分の含有量に関して、上記の整数の間のその他の数、例えば、５６．１、５６．２、５６．３なども含まれ得る。
【０１０１】
ＨＦＯ−１２３４ｙｆまたはトランス−ＨＦＯ−１２３４ｚｅまたはこれらの混合物は、上記の段落（Ａ５）および（Ａ５’）内の任意の２つの数によって形成される重量パーセント組成範囲内であり得ることも理解されるべきである。同様に、ＨＦＣ−３２は、上記の段落（Ｂ５）および（Ｂ５’）内の任意の２つの数によって形成される重量パーセント組成範囲内であり、ＨＦＣ−１５２ａは、上記の段落（Ｃ５）および（Ｃ５’）内の任意の２つの数によって形成される重量パーセント組成範囲内であり、少なくとも１つの飽和ＨＦＣは、段落Ｄ５内の任意の２つの数によって形成される重量パーセント組成範囲内であり得る。
【０１０２】
別の実施形態では、特に有用なのは、約２２〜約３８重量パーセントのＨＦＯ−１２３４ｙｆ、トランス−ＨＦＯ−１２３４ｚｅ、またはこれらの混合物と、約５７．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０１０３】
例示的実施形態６
本発明の第６の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａ、ＨＦＯ−１２４３ｚｆ、またはこれらの混合物とを含み、前記組成物は、トランス−ＨＦＯ−１２３４ｚｅと、ＨＦＣ−３２と、ＨＦＣ−１５２ａ、ＨＦＯ−１２４３ｚｆまたはこれらの混合物とを含む。
【０１０４】
この実施形態の組成物に関して：
（Ａ６）トランス−ＨＦＯ−１２３４ｚｅの含有量は約２０重量パーセント〜約８５重量パーセントでよく、例えば、トランス−ＨＦＯ−１２３４ｚｅは、組成物の約２０重量％、２１重量％、２２重量％、２３重量％、２４重量％、２５重量％、２６重量％、２７重量％、２８重量％、２９重量％  ３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、または約８５重量％であり得る。（Ｂ６）ＨＦＣ−３２は約１０重量％〜約５８重量％の範囲内の任意の数でよく、例えば、ＨＦＣ−３２は、組成物の約１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、または約５８重量％であり得る。そして、
（Ｃ６）ＨＦＣ−１５２ａの含有量は約５重量パーセント〜約２０重量パーセントでよく、例えば、ＨＦＣ−１５２ａは、組成物の約５重量％、６重量％、７重量％、８重量％、９重量％、１０重量％、１１重量％、１２重量％、１３重量％、１４重量％、１５重量％、１６重量％、１７重量％、１８重量％、１９重量％、または約２０重量％であり得る。（Ｄ６）代替の実施形態では、少なくとも１つの飽和ＨＦＣも上記の組成物中に含まれ得る。組成物の全重量に対する前記少なくとも１つの飽和ＨＦＣの重量パーセントは、約０％〜約１０％の範囲であり得る。組成物中の少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【０１０５】
同様に、上記の３つの成分の含有量に関して、上記の整数の間のその他の数、例えば、２０．１、２０．２、２０．３、２０．４、２０．５なども含まれ得る。
【０１０６】
トランス−ＨＦＯ−１２３４ｚｅは、上記の段落（Ａ６）内の任意の２つの数によって形成される重量パーセント組成範囲内であり得ることも理解されるべきである。同様に、ＨＦＣ−３２は上記の段落（Ｂ６）内の任意の２つの数によって形成される重量パーセント組成範囲内であり、ＨＦＣ−１５２ａは、上記の段落（Ｃ６）内の任意の２つの数によって形成される重量パーセント組成範囲内であり、少なくとも１つの飽和ＨＦＣは、段落Ｄ６内の任意の２つの数によって形成される重量パーセント組成範囲内であり得る。
【０１０７】
注目すべきは、約２０重量パーセント〜約８５重量パーセントのトランス−ＨＦＯ−１２３４ｚｅと、約１０重量パーセント〜約５８重量パーセント（または５７．５重量パーセント）ＨＦＣ−３２と、約５重量パーセント〜約２０重量パーセントのＨＦＣ−１５２ａとを含む組成物である。
【０１０８】
特に注目すべきは、約２０重量パーセント〜約３０重量パーセントのトランス−ＨＦＯ−１２３４ｚｅと、約１０重量パーセントのＨＦＣ−３２と、約５重量パーセント〜約２０重量パーセントのＨＦＣ−１５２ａとを含む組成物である。
【０１０９】
同様に特に注目すべきは、約７５重量パーセント〜約８５重量パーセントのトランス−ＨＦＯ−１２３４ｚｅと、約３６重量パーセントのＨＦＣ−３２と、約５重量パーセント〜約２０重量パーセントのＨＦＣ−１５２ａとを含む組成物である。同様に特に注目すべきは、約４４重量パーセント〜約５９重量パーセントのトランス−ＨＦＯ−１２３４ｚｅと、約４２．５重量パーセントのＨＦＣ−３２と、約５重量パーセント〜約２０重量パーセントのＨＦＣ−１５２ａとを含む組成物である。
【０１１０】
同様に特に注目すべきは、約３７重量パーセント〜約２３重量パーセントのトランス−ＨＦＯ−１２３４ｚｅと、約４２．５重量パーセントのＨＦＣ−３２と、約５重量パーセント〜約２０重量パーセントのＨＦＣ−１５２ａとを含む組成物である。
【０１１１】
同様に特に注目すべきは、約２３重量パーセント〜約３７重量パーセントのトランス−ＨＦＯ−１２３４ｚｅと、約５７．５（または約５８）重量パーセントのＨＦＣ−３２と、約５重量パーセント〜約２０重量パーセントのＨＦＣ−１５２ａとを含む組成物である。
【０１１２】
例示的実施形態７
本発明の第６の例示的実施形態では、組成物は、３つの成分：（Ａ）ＨＦＯ−１２３４ｙｆまたはトランス−ＨＦＯ−１２３４ｚｅまたはこれらの混合物と、（Ｂ）ＨＦＣ−３２と、（Ｃ）ＨＦＣ−１５２ａ、ＨＦＯ−１２４３ｚｆ、またはこれらの混合物とを含み、前記ＨＦＯ−１２４３ｚｆまたはＨＦＯ−１２４３ｚｆとＨＦＣ−１５２ａとの混合物は、最大で前記組成物の全重量の２０重量パーセントである。しかし同時に、いくらかの量のＨＦＯ−１２３４ｙｆまたはトランス−ＨＦＯ−１２３４ｚｅまたはこれらの混合物と、いくらかの量のＨＦＣ−３２とが常に本発明の組成物中に存在する。
【０１１３】
この実施形態の組成物に関して：
（Ａ７）ＨＦＯ−１２３４ｙｆまたはトランス−ＨＦＯ−１２３４ｚｅまたはこれらの混合物の含有量は約５６重量パーセント〜約７２重量パーセントでよく、例えば、トランス−ＨＦＯ−１２３４ｚｅは、組成物の約５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、または約７２重量％であり得る。
（Ｂ７）ＨＦＣ−３２は、約８重量％〜約３９重量％の範囲内の任意の数でよく、例えば、ＨＦＣ−３２は、組成物の約８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、または約３９重量％であり得る。そして、
（Ｃ７）ＨＦＣ−１５２ａ、ＨＦＯ−１２４３ｚｆまたはこれらの混合物の含有量は約５重量パーセント〜約２０重量パーセントでよく、例えば、ＨＦＣ−１５２ａは、組成物の約５重量％、６重量％、７重量％、８重量％、９重量％、１０重量％、１１重量％、１２重量％、１３重量％、１４重量％、１５重量％、１６重量％、１７重量％、１８重量％、１９重量％、または約２０重量％であり得る。
（Ｄ７）代替の実施形態では、少なくとも１つの飽和ＨＦＣも上記の組成物中に含まれ得る。組成物の全重量に対する前記少なくとも１つの飽和ＨＦＣの重量パーセントは、約０％〜約１０％の範囲であり得る。組成物中の少なくとも１つの飽和ＨＦＣの重量パーセントは、約０．５％、１％、１．５％、２％、２．５％、３％、３．５％、４％、４．５％、５％、５．５％、６％、６．５％、７％、７．５％、８％、８．５％、９％、９．５％、および１０％であり得る。
【０１１４】
同様に、上記の３つの成分の含有量に関して、上記の整数の間のその他の数、例えば、５６．１、５６．２、５６．３、５６．４、５６．５なども含まれ得る。
【０１１５】
ＨＦＯ−１２３４ｙｆ、トランス−ＨＦＯ−１２３４ｚｅまたはこれらの混合物は、上記の段落（Ａ７）内の任意の２つの数によって形成される重量パーセント組成範囲内であり得ることも理解されるべきである。同様に、ＨＦＣ−３２は上記の段落（Ｂ７）内の任意の２つの数によって形成される重量パーセント組成範囲内であり、ＨＦＣ−１５２ａは上記の段落（Ｃ７）内の任意の２つの数によって形成される重量パーセント組成範囲内であり、少なくとも１つの飽和ＨＦＣは、段落Ｄ７内の任意の２つの数によって形成される重量パーセント組成範囲内であり得る。
【０１１６】
別の実施形態では、約４４〜５９重量パーセントのＨＦＯ−１２３４ｙｆと、約３６重量パーセントのＨＦＣ−３２と、約５〜２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０１１７】
別の実施形態では、約３７〜約５３重量パーセントのＨＦＯ−１２３４ｙｆと、約４２．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０１１８】
別の実施形態では、約５６重量パーセント〜約７２重量パーセントのＨＦＯ−１２３４ｙｆと、約１２重量パーセント〜約３９重量パーセントのＨＦＣ−３２と、０重量パーセント〜約２０重量パーセントのＨＦＣ−１５２ａ、ＨＦＯ−１２４３ｚｆ、またはこれらの混合物とを含む組成物は、Ｒ−２２の低ＧＷＰ代替品を提供する。同様に、約５６重量パーセント〜約７２重量パーセントのＨＦＯ−１２３４ｙｆと、約１２重量パーセント〜約３９重量パーセントのＨＦＣ−３２と、０重量パーセント〜約２０重量パーセントのＨＦＣ−１５２ａ、ＨＦＯ−１２４３ｚｆ、またはこれらの混合物とを含む組成物は、Ｒ−４０７Ｃの低ＧＷＰ代替品を提供する。
【０１１９】
別の実施形態では、約５６重量パーセント〜約６２重量パーセントのＨＦＯ−１２３４ｙｆと、約８重量パーセント〜約２９重量パーセントのＨＦＣ−３２と、０重量パーセント〜約１０重量パーセントのＨＦＣ−１５２ａと、０〜約２０重量パーセントのＨＦＯ−１２４３ｚｆと、約１０重量パーセントのＨＦＣ−１３４ａとを含む組成物は、Ｒ−２２の低ＧＷＰ代替品を提供する。同様に、約５６重量パーセント〜約６２重量パーセントのＨＦＯ−１２３４ｙｆと、約８重量パーセント〜約２９重量パーセントのＨＦＣ−３２と、０重量パーセント〜約１０重量パーセントのＨＦＣ−１５２ａと、０〜約２０重量パーセントのＨＦＯ−１２４３ｚｆと、約１０重量パーセントのＨＦＣ−１３４ａとを含む組成物は、Ｒ−４０７Ｃの低ＧＷＰ代替品を提供する。
【０１２０】
別の実施形態では、約５６重量パーセント〜約７２重量パーセントのＨＦＯ−１２３４ｙｆと、約１２重量パーセント〜約３９重量パーセントのＨＦＣ−３２と、０重量パーセント〜約２０重量パーセントのＨＦＣ−１５２ａ、ＨＦＯ−１２４３ｚｆ、またはこれらの混合物とを含む組成物は、Ｒ−２２の低ＧＷＰ代替品を提供する。同様に、約５６重量パーセント〜約７２重量パーセントのＨＦＯ−１２３４ｙｆと、約１２重量パーセント〜約３９重量パーセントのＨＦＣ−３２と、０重量パーセント〜約２０重量パーセントのＨＦＣ−１５２ａ、ＨＦＯ−１２４３ｚｆ、またはこれらの混合物とを含む組成物は、Ｒ−４０７Ｃの低ＧＷＰ代替品を提供する。
【０１２１】
別の実施形態では、約５６重量パーセント〜約６２重量パーセントのＨＦＯ−１２３４ｙｆと、約８重量パーセント〜約２９重量パーセントのＨＦＣ−３２と、０重量パーセント〜約１０重量パーセントのＨＦＣ−１５２ａと、０〜約２０重量パーセントのＨＦＯ−１２４３ｚｆと、約１０重量パーセントのＨＦＣ−１３４ａとを含む組成物は、Ｒ−２２の低ＧＷＰ代替品を提供する。同様に、約５６重量パーセント〜約６２重量パーセントのＨＦＯ−１２３４ｙｆと、約８重量パーセント〜約２９重量パーセントのＨＦＣ−３２と、０重量パーセント〜約１０重量パーセントのＨＦＣ−１５２ａと、０〜約２０重量パーセントのＨＦＯ−１２４３ｚｆと、約１０重量パーセントのＨＦＣ−１３４ａとを含む組成物は、Ｒ−４０７Ｃの低ＧＷＰ代替品を提供する。
【０１２２】
その他の好ましい実施形態
好ましい実施形態では、上記の組成物において、前記少なくとも１つの飽和ＨＦＣはＨＦＣ−１３４ａである。
【０１２３】
さらに好ましい実施形態では、３つの成分または４つの成分のいずれかを含む上記の組成物において、組成物の冷却容量は、現存の冷媒からなる群から選択される少なくとも１つの冷媒の冷却容量の少なくとも７５％である。
【０１２４】
「現存の冷媒」とは、Ｒ−１３４ａ、Ｒ−２２、Ｒ−４０７Ｃ、およびＲ−４０４Ａから選択される少なくとも１つの冷媒を意味する。好ましい実施形態では、置換すべき現存の冷媒は、Ｒ−１３４ａ、Ｒ−２２、Ｒ−４０７Ｃ、Ｒ４０７Ａ、Ｒ４０７Ｆ、Ｒ５０７、Ｒ４２２Ａ、Ｒ４２２Ｄ、Ｒ４１７Ａ、Ｒ４３７Ａ、Ｒ４３８Ａ、およびＲ−４０４Ａである。冷却容量は、約７５％、７６％、７７％、７８％、７９％、８９％、８１％、８２％、８３％、８４％、８５％、８６％、８７％、８８％、８９％、９０％、９１％、９２％、９３％、９４％、９５％、９６％、９７％、９８％、９９％、１００％、１０１％、１０２％  １０３％、１０４％、１０５％、１０６％、１０７％、１０８％、１０９％、１１０％、１１％、１１２％、１１３％、１１４％、１１５％、１１６％、１１７５、１１８％、１１９％、１２０％、１２１％、１２２％、１２３％、１２４％、１２５％、１２６、１２７％、１２８％、１２９％、または約１３０％であり得る。
【０１２５】
例えば、約７５〜約８５重量パーセントのＨＦＯ−１２３４ｙｆまたはトランス−ＨＦＯ−１２３４ｚｅまたはこれらの混合物と、約１０重量パーセントのＨＦＣ−３２と、約５〜約１５重量パーセントのＨＦＣ−１５２ａとを含む組成物は、Ｒ−１３４ａの冷却容量の１２５％である冷却容量を示す。別の例では、約５８〜約７３．５重量パーセントのＨＦＯ−１２３４ｙｆまたはトランス−ＨＦＯ−１２３４ｚｅまたはこれらの混合物と、約２１．５重量パーセントのＨＦＣ−３２と、約５〜約２０重量パーセントのＨＦＣ−１５２ａとを含む組成物は、Ｒ−２２およびＲ−４０７Ｃの冷却容量の９０〜９５％である冷却容量を示す。同様に、約５９重量パーセントのＨＦＯ−１２３４ｙｆまたはトランス−ＨＦＯ−１２３４ｚｅまたはこれらの混合物と、約３６重量パーセントのＨＦＣ−３２と、約５重量パーセントのＨＦＣ−１５２ａとを含む組成物は、Ｒ−４０４Ａの冷却容量の約１０３％である冷却容量を示す。別の例では、約２２〜約３８重量パーセントのＨＦＯ−１２３４ｙｆまたはトランス−ＨＦＯ−１２３４ｚｅまたはこれらの混合物と、約５７．５重量パーセントのＨＦＣ−３２と、約５〜約２０重量パーセントのＨＦＣ−１５２ａとを含む組成物は、Ｒ−４０４Ａの冷却容量の１１４〜１２１％である冷却容量を示す。
【０１２６】
別の好ましい実施形態では、３つの成分または４つ以上の成分のいずれかを含む本発明の組成物は、Ｒ−１３４ａ、Ｒ−２２、Ｒ−４０７Ｃ、およびＲ−４０４Ａなどの現存の冷媒と比較して低減されたＧＷＰを提供することが見出された。
【０１２７】
例えば、約５６〜約６２重量パーセントのＨＦＯ−１２３４ｙｆまたはトランス−ＨＦＯ−１２３４ｚｅまたはこれらの混合物と、約２３〜約２９重量パーセントのＨＦＣ−３２と、１４〜１６重量パーセントのＨＦＣ−１５２ａとを含む組成物は、Ｒ−２２、Ｒ−４０７Ｃ、およびＲ−１３４ａの１４３０のＧＷＰ、ならびにＲ−４０４Ａの３９２２のＧＷＰと比較して、１５０〜３００の範囲のＧＷＰを有する。別の例では、約７５〜約８５重量パーセントのＨＦＯ−１２３４ｙｆまたはトランス−ＨＦＯ−１２３４ｚｅまたはこれらの混合物と、約１０重量パーセントのＨＦＣ−３２と、約５〜約１５重量パーセントのＨＦＣ−１５２ａとを含む組成物は、７０〜９０の範囲のＧＷＰ数を示す。さらに別の例では、約５８〜約７３．５重量パーセントのＨＦＯ−１２３４ｙｆまたはトランス−ＨＦＯ−１２３４ｚｅまたはこれらの混合物と、約２１．５重量パーセントのＨＦＣ−３２と、約５〜約２０重量パーセントのＨＦＣ−１５２ａとを含む組成物は、１５０〜１７５のＧＷＰ数を示す。同様に、約５９重量パーセントのＨＦＯ−１２３４ｙｆまたはトランス−ＨＦＯ−１２３４ｚｅまたはこれらの混合物と、約３６重量パーセントのＨＦＣ−３２と、約５重量パーセントのＨＦＣ−１５２ａとを含む組成物は、約２５２のＧＷＰ数を示す。別の例では、約２２〜約３８重量パーセントのＨＦＯ−１２３４ｙｆまたはトランス−ＨＦＯ−１２３４ｚｅまたはこれらの混合物と、約５７．５重量パーセントのＨＦＣ−３２と、約５〜約２０重量パーセントのＨＦＣ−１５２ａとを含む組成物は、３９６〜４１４の範囲のＧＷＰ数を示す。
【０１２８】
上記実施形態の好ましい組成物では、ＨＦＣ−１５２ａは約１４重量パーセント〜約１６重量パーセントの範囲である。
【０１２９】
その他の好ましい実施形態は、（ｉ）５６〜約６９重量パーセントのＨＦＯ−１２３４ｙｆまたはトランス−ＨＦＯ−１２３４ｚｅまたはこれらの混合物、２６〜３９重量パーセントのＨＦＣ−３２、および約４〜約６重量パーセントのＨＦＣ−１５２ａ、（ｉｉ）約５６〜約６２重量パーセントのＨＦＯ−１２３４ｙｆまたはトランス−ＨＦＯ−１２３４ｚｅまたはこれらの混合物、約２８〜約３４重量パーセントのＨＦＣ−３２、および（ｉｉｉ）約９〜約１１重量パーセントのＨＦＣ−１５２ａ、ならびに（ｉｖ）約５６〜約６２重量パーセントのＨＦＯ−１２３４ｙｆまたはトランス−ＨＦＯ−１２３４ｚｅまたはこれらの混合物、２３−２９重量パーセントのＨＦＣ−３２、および１４〜１６重量パーセントのＨＦＣ−１５２ａを含む。
【０１３０】
さらに好ましい実施形態では、上記の組成物において、ＨＦＯ−１２３４ｙｆまたはトランス−ＨＦＯ−１２３４ｚｅまたはこれらの混合物のＨＦＣ−１５２ａに対する比率は約１〜約２０の範囲である。比率は、約１、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９、９．０、９．１、９．２、９．３、９．４、９．５、９．６、９．７、９．８、９．９、１０．０、１０．１、１０．２、１０．３、１０．４、１０．５、１０．６、１０．７、１０．８、１０．９、１１．０、１１．１、１１．２、１１．３、１１．４、１１．５、１１．６、１１．７、１１．８、１１．９、１２．０、１２．１、１２．２、１２．３、１２．４、１２．５、１２．６、１２．７、１２．８、１２．９、１３．０、１３．１、１３．２、１３．３、１３．４、１３．５、１３．６、１３．７、１３．８、１３．９、１４．０、１４．１、１４．２、１４．３、１４．４、１４．５、１４．６、１４．７、１４．８、１４．９、１５．０、１５．１、１５．２、１５．３、１５．４、１５．５、１５．６、１５．７、１５．８、１５．９、１６．０、１６．１、１６．２、１６．３、１６．４、１６．５、１６．６、１６．７、１６．８、１６．９、１７．０、１７．１、１７．２、１７．３、１７．４、１７．５、１７．６、１７．７、１７．８、１７．９、１８．０、１８．１、１８．２、１８．３、１８．４、１８．５、１８．６、１８．７、１８．９、１９．０、１９．１、１９．２、１９．３、１９．４、１９．５、１９．６、１９．７、１９．８、１９．９、または２０．０であり得る。
【０１３１】
本発明の好ましい組成物では、上記の組成物において、意外にも、約１４．５重量パーセント〜約１５．５重量パーセントの狭いＨＦＣ−１５２ａの範囲で、組成物（３つの成分または４つ以上の成分）は、現存の冷媒の多く、特にＲ−２２、Ｒ−４０４Ａ、Ｒ−１３４ａ、およびＲ−４０７Ｃの±２５％以内の冷却容量を有することが見出された。
【０１３２】
本発明は、共沸、近共沸および非共沸組成物に関する。
【０１３３】
置換される冷媒よりも高い容量を有する組成物は、より低いチャージサイズを可能にする（同じ冷却効果を達成するためにより少ない冷媒が必要とされ得る）ことによって低下されたカーボンフットプリントを提供する。従って、ＧＷＰがより高くても、このような組成物は最終的に環境影響の低下をもたらすことができる。加えて、さらにより大きいエネルギー効率の改善を提供するように新しい装置を設計することができ、従って、新しい冷媒を用いる環境影響も最小限となる。
【０１３４】
いくつかの実施形態では、テトラフルオロプロペン、ジフルオロメタン、および１，１，−ジフルオロエタンに加えて、開示される組成物は、任意的な他の成分を含んでいてもよい。
【０１３５】
いくつかの実施形態では、本明細書に開示される組成物中の任意的な他の成分（本明細書では、添加剤とも呼ばれる）は、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、およびこれらの混合物からなる群から選択される１つまたは複数の成分を含むことができる。実際には、これらの任意的な他の成分の多くはこれらのカテゴリーの１つまたは複数に当てはまり、１つまたは複数の性能特性を達成するために役立つ性質を有し得る。
【０１３６】
いくつかの実施形態では、組成物全体に対して少量で存在する１つまたは複数の添加剤。いくつかの実施形態では、開示される組成物中の添加剤濃度の量は、全組成物の約０．１重量パーセント未満から、約５重量パーセントまでである。本発明のいくつかの実施形態では、添加剤は、全組成物の約０．１重量パーセント〜約３．５重量パーセントの量で、開示される組成物中に存在する。開示される組成物のために選択される添加剤成分は、実用性および／または個々の装置部品またはシステムの要求に基づいて選択される。
【０１３７】
いくつかの実施形態では、潤滑油は、鉱油潤滑剤である。いくつかの実施形態では、鉱油潤滑剤は、パラフィン（線状炭素鎖飽和炭化水素、分枝炭素鎖飽和炭化水素、およびこれらの混合物を含む）、ナフテン（飽和環状および環構造を含む）、芳香族化合物（１つまたは複数の環を含有する不飽和炭化水素を有するものであり、ここで、１つまたは複数の環は交互の炭素−炭素二重結合を特徴とする）、および非炭化水素（硫黄、窒素、酸素およびこれらの混合物などの原子を含有する分子）、ならびにこれらの混合物および組み合わせからなる群から選択される。
【０１３８】
いくつかの実施形態は、１つまたは複数の合成潤滑剤を含有することができる。いくつかの実施形態では、合成潤滑剤は、アルキル置換芳香族化合物（線状アルキル基、分枝状アルキル基、または線状および分枝状アルキル基の混合物によって置換されたベンゼンまたはナフタレンなどであり、一般的にアルキルベンゼンと称されることが多い）、合成パラフィンおよびナフテン、ポリ（αオレフィン）、ポリグリコール（ポリアルキレングリコールを含む）、二塩基酸エステル、ポリエステル、ネオペンチルエステル、ポリビニルエーテル（ＰＶＥ）、シリコーン、ケイ酸エステル、フッ素化化合物、リン酸エステル、ポリカーボネートならびにこれらの混合物（この段落で開示される潤滑剤のいずれかの混合物を意味する）からなる群から選択される。
【０１３９】
本明細書に開示される潤滑剤は市販の潤滑剤でもよい。例えば、潤滑剤は、ＢＶＭ  １００  ＮとしてＢＶＡ  Ｏｉｌｓによって販売されるパラフィン系鉱油、Ｓｕｎｉｓｏ（登録商標）１ＧＳ、Ｓｕｎｉｓｏ（登録商標）３ＧＳおよびＳｕｎｉｓｏ（登録商標）５ＧＳという商標でＣｒｏｍｐｔｏｎ  Ｃｏ．によって販売されるナフテン系鉱油、Ｓｏｎｔｅｘ（登録商標）３７２ＬＴという商標でＰｅｎｎｚｏｉｌによって販売されるナフテン系鉱油、Ｃａｌｕｍｅｔ（登録商標）ＲＯ−３０という商標でＣａｌｕｍｅｔ  Ｌｕｂｒｉｃａｎｔｓによって販売されるナフテン系鉱油、Ｚｅｒｏｌ（登録商標）７５、Ｚｅｒｏｌ（登録商標）１５０およびＺｅｒｏｌ（登録商標）５００という商標でＳｈｒｉｅｖｅ  Ｃｈｅｍｉｃａｌｓによって販売される線状アルキルベンゼン、ならびにＨＡＢ  ２２としてＮｉｐｐｏｎ  Ｏｉｌによって販売される分枝状アルキルベンゼン、Ｃａｓｔｒｏｌ（登録商標）１００という商標でＣａｓｔｒｏｌ，Ｕｎｉｔｅｄ  Ｋｉｎｇｄｏｍによって販売されるポリエステル（ＰＯＥ）、Ｄｏｗ（Ｄｏｗ  Ｃｈｅｍｉｃａｌ，Ｍｉｄｌａｎｄ，Ｍｉｃｈｉｇａｎ）からのＲＬ−４８８Ａなどのポリアルキレングリコール（ＰＡＧ）、そしてこれらの混合物（この段落で開示される潤滑剤のいずれかの混合物を意味する）であり得る。
【０１４０】
本発明と共に使用される潤滑剤は、ハイドロフルオロカーボン冷媒と共に使用するために設計され、圧縮冷凍および空調装置の運転条件下で本明細書に開示される組成物と混和性であり得る。いくつかの実施形態では、潤滑剤は、所与の圧縮器の要求と、潤滑剤がさらされ得る環境とを考慮することによって選択される。
【０１４１】
潤滑剤を含む本発明の組成物では、潤滑剤は、全組成物の５．０重量％未満の量で存在する。その他の実施形態では、潤滑剤の量は、全組成物の約０．１〜３．５重量％の間である。
【０１４２】
本明細書に開示される組成物についての上記の重量比にかかわらず、いくつかの伝熱システムでは、組成物は使用中にこのような伝熱システムの１つまたは複数の装置部品から付加的な潤滑剤を獲得し得ることが理解される。例えば、いくつかの冷凍、空調およびヒートポンプシステムでは、潤滑剤は圧縮器および／または圧縮器潤滑剤だめに充填され得る。このような潤滑剤はこのようなシステムの冷媒中に存在する任意の潤滑剤添加剤に付加的なものであり得る。使用中、冷媒組成物は圧縮器内にあるときに、ある量の装置潤滑剤を取り込み、冷媒−潤滑剤組成を出発の比率から変化させ得る。
【０１４３】
このような伝熱システムでは、潤滑剤の大部分がシステムの圧縮器部分に存在する場合でも、システム全体は、組成物の約７５重量パーセントもの量からわずか約１．０重量パーセントまでが潤滑剤である全組成物を含有し得る。いくつかのシステム（例えばスーパーマーケットの冷凍陳列ケース）において、システムは約３重量パーセントの潤滑剤（システムの充填前に冷媒組成物中に存在するあらゆる潤滑剤のほかに）および９７重量パーセントの冷媒を含有し得る。別の実施形態では、いくつかのシステム（例えば、移動空調システム）において、システムは約２０重量パーセントの潤滑剤（システムの充填前に冷媒組成物中に存在するあらゆる潤滑剤のほかに）および約８０重量パーセントの冷媒を含有し得る。
【０１４４】
本発明の組成物と共に使用される添加剤は、少なくとも１つの色素を含むことができる。色素は、少なくとも１つの紫外線（ＵＶ）色素であり得る。ＵＶ色素は、蛍光色素であってもよい。蛍光色素は、ナフタルイミド、ペリレン、クマリン、アントラセン、フェナントラセン、キサンテン、チオキサンテン、ナフトキサンテン、フルオレセイン、および前記色素の誘導体、ならびにこれらの組み合わせ（この段落で開示される上記の色素またはその誘導体のいずれかの混合物を意味する）からなる群から選択することができる。
【０１４５】
いくつかの実施形態では、開示される組成物は、約０．００１重量パーセント〜約１．０重量パーセントのＵＶ色素を含有する。その他の実施形態では、ＵＶ色素は全組成物の約０．００５重量パーセント〜約０．５重量パーセントの量で存在し、他の実施形態では、ＵＶ色素は全組成物の０．０１重量パーセント〜約０．２５重量パーセントの量で存在する。
【０１４６】
ＵＶ色素は、装置（例えば、冷凍ユニット、空調装置またはヒートポンプ）内の漏出点において、またはその近くで色素の蛍光を観察できるようにすることによって、組成物の漏れを検出するために有用な成分である。色素からのＵＶ発光、例えば蛍光は、紫外光の下で観察することができる。従って、このようなＵＶ色素を含有する組成物が装置の所与の点から漏出していれば、漏出点または漏出点の近くで蛍光を検出することができる。
【０１４７】
本発明の組成物と共に使用可能な添加剤は、開示される組成物中の１つまたは複数の色素の溶解度を改善するように選択された少なくとも１つの可溶化剤を含むことができる。いくつかの実施形態では、色素対可溶化剤の重量比は、約９９：１〜約１：１の範囲である。可溶化剤には、炭化水素、炭化水素エーテル、ポリオキシアルキレングリコールエーテル（ジプロピレングリコールジメチルエーテルなど）、アミド、ニトリル、ケトン、クロロカーボン（塩化メチレン、トリクロロエチレン、クロロホルム、またはこれらの混合物など）、エステル、ラクトン、芳香族エーテル、フルオロエーテルおよび１，１，１−トリフルオロアルカン、ならびにこれらの混合物（この段落で開示される可溶化剤のいずれかの混合物を意味する）からなる群から選択される少なくとも１つの化合物が含まれる。
【０１４８】
いくつかの実施形態では、少なくとも１つの相溶化剤は、１つまたは複数の潤滑剤と、開示される組成物との相溶性を改善するように選択される。相溶化剤は、炭化水素、炭化水素エーテル、ポリオキシアルキレングリコールエーテル（ジプロピレングリコールジメチルエーテルなど）、アミド、ニトリル、ケトン、クロロカーボン（塩化メチレン、トリクロロエチレン、クロロホルム、またはこれらの混合物など）、エステル、ラクトン、芳香族エーテル、フルオロエーテル、１，１，１−トリフルオロアルカン、およびこれらの混合物（この段落で開示される相溶化剤のいずれかの混合物を意味する）からなる群から選択され得る。
【０１４９】
可溶化剤および／または相溶化剤は、炭素、水素および酸素のみを含有するエーテル（ジメチルエーテル（ＤＭＥ）など）からなる炭化水素エーテルおよびこれらの混合物（この段落で開示される炭化水素エーテルのいずれかの混合物を意味する）からなる群から選択され得る。
【０１５０】
相溶化剤は、３〜１５個の炭素原子を含有する線状または環状の脂肪族または芳香族炭化水素相溶化剤であり得る。相溶化剤は、少なくとも特に、プロパン、ｎ−ブタン、イソブタン、ペンタン、ヘキサン、オクタン、ノナン、およびデカンからなる群から選択され得る少なくとも１つの炭化水素であり得る。市販の炭化水素相溶化剤としては、Ｉｓｏｐａｒ（登録商標）Ｈ（ウンデカン（Ｃ１１）およびドデカン（Ｃ１２）の混合物（高純度Ｃ１１〜Ｃ１２イソパラフィン系））、Ａｒｏｍａｔｉｃ  １５０（Ｃ９〜Ｃ１１芳香族）、Ａｒｏｍａｔｉｃ  ２００（Ｃ９〜Ｃ１５芳香族）およびＮａｐｔｈａ  １４０（Ｃ５〜Ｃ１１パラフィン、ナフテンおよび芳香族炭化水素の混合物）という商標でＥｘｘｏｎ  Ｃｈｅｍｉｃａｌ（ＵＳＡ）から販売されているもの、ならびにこれらの混合物（この段落で開示される炭化水素のいずれかの混合物を意味する）が挙げられるがこれらに限定されない。
【０１５１】
あるいは、添加剤は、少なくとも１つの高分子相溶化剤であり得る。高分子相溶化剤は、フッ素化および非フッ素化アクリレートのランダムコポリマーであってもよく、ここでポリマーは、式ＣＨ２＝Ｃ（Ｒ１）ＣＯ２Ｒ２、ＣＨ２＝Ｃ（Ｒ３）Ｃ６Ｈ４Ｒ４、およびＣＨ２＝Ｃ（Ｒ５）Ｃ６Ｈ４ＸＲ６（式中、Ｘは酸素または硫黄であり、Ｒ１、Ｒ３、およびＲ５は独立してＨおよびＣ１〜Ｃ４アルキルラジカルからなる群から選択され、そしてＲ２、Ｒ４、およびＲ６は独立してＣおよびＦを含有する炭素鎖ベースのラジカルからなる群から選択される）で表される少なくとも１つのモノマーの繰り返し単位を含み、さらに、Ｈ、Ｃｌ、エーテル酸素、またはチオエーテル、スルホキシド、もしくはスルホン基の形態の硫黄およびこれらの混合物を含有し得る。このような高分子相溶化剤の例としては、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ，１９８９８，ＵＳＡ）からＺｏｎｙｌ（登録商標）ＰＨＳという商標で市販されているものが挙げられる。Ｚｏｎｙｌ（登録商標）ＰＨＳは、４０重量パーセントのＣＨ２＝Ｃ（ＣＨ３）ＣＯ２ＣＨ２ＣＨ２（ＣＦ２ＣＦ２）ｍＦ（Ｚｏｎｙｌ（登録商標）フルオロメタクリレートまたはＺＦＭとも呼ばれる）（式中、ｍは１〜１２、主に２〜８である）と、６０重量パーセントのラウリルメタクリレート（ＣＨ２＝Ｃ（ＣＨ３）ＣＯ２（ＣＨ２）１１ＣＨ３、ＬＭＡとも呼ばれる）との重合によって製造されるランダムコポリマーである。
【０１５２】
いくつかの実施形態では、相溶化剤成分は、潤滑剤の金属への接着を低減するような方法で、熱交換器内に見出される金属の銅、アルミニウム、鋼、または他の金属およびこれらの金属合金の表面エネルギーを低下させる添加剤を約０．０１〜３０重量パーセント（相溶化剤の全量を基準として）含有する。金属表面エネルギー低下添加剤の例としては、ＤｕＰｏｎｔから商標Ｚｏｎｙｌ（登録商標）ＦＳＡ、Ｚｏｎｙｌ（登録商標）ＦＳＰ、およびＺｏｎｙｌ（登録商標）ＦＳＪで市販されているものが挙げられる。
【０１５３】
本発明の組成物と共に使用され得る添加剤は、金属表面不活性化剤であり得る。金属表面不活性化剤は、アレオキサリル（ａｒｅｏｘａｌｙｌ）ビス（ベンジリデン）ヒドラジド（ＣＡＳ登録番号６６２９−１０−３）、Ｎ，Ｎ’−ビス（３，５−ジ−ｔｅｒｔ−ブチル−４−ヒドロキシヒドロシンナモイルヒドラジン（ＣＡＳ登録番号３２６８７−７８−８）、２，２’−オキサミドビス−エチル−（３，５−ジ−ｔｅｒｔ−ブチル−４−ヒドロキシヒドロシンナメート（ＣＡＳ登録番号７０３３１−９４−１）、Ｎ，Ｎ’−（ジサリシクリデン（ｄｉｓａｌｉｃｙｃｌｉｄｅｎｅ））−１，２−ジアミノプロパン（ＣＡＳ登録番号９４−９１−７）、ならびにエチレンジアミン四酢酸（ＣＡＳ登録番号６０−００−４）およびその塩、そしてこれらの混合物（この段落で開示される金属表面不活性化剤のいずれかの混合物を意味する）からなる群から選択される。
【０１５４】
あるいは、本発明の組成物と共に使用される添加剤は、ヒンダードフェノール、チオホスフェート、ブチル化トリフェニルホスホロチオネート、オルガノホスフェート、またはホスファイト、アリールアルキルエーテル、テルペン、テルペノイド、エポキシド、フッ素化エポキシド、オキセタン、アスコルビン酸、チオール、ラクトン、チオエーテル、アミン、ニトロメタン、アルキルシラン、ベンゾフェノン誘導体、アリールスルフィド、ジビニルテレフタル酸、ジフェニルテレフタル酸、イオン性液体、およびこれらの混合物、（この段落で開示される安定剤のいずれかの混合物を意味する）からなる群から選択される安定剤であり得る。
【０１５５】
安定剤は、トコフェロール、ヒドロキノン、ｔ−ブチルヒドロキノン、モノチオホスフェートおよびジチオホスフェート（Ｃｉｂａ  Ｓｐｅｃｉａｌｔｙ  Ｃｈｅｍｉｃａｌｓ，Ｂａｓｅｌ，Ｓｗｉｔｚｅｒｌａｎｄ（以下、「Ｃｉｂａ」）から商標Ｉｒｇａｌｕｂｅ（登録商標）６３で市販）、ジアルキルチオリン酸エステル（Ｃｉｂａからそれぞれ商標Ｉｒｇａｌｕｂｅ（登録商標）３５３およびＩｒｇａｌｕｂｅ（登録商標）３５０で市販）、ブチル化トリフェニルホスホロチオネート、（Ｃｉｂａから商標Ｉｒｇａｌｕｂｅ（登録商標）２３２で市販）、アミンホスフェート（Ｃｉｂａから商標Ｉｒｇａｌｕｂｅ（登録商標）３４９（Ｃｉｂａ）で市販）、ヒンダードホスファイト（ＣｉｂａからＩｒｇａｆｏｓ（登録商標）１６８で市販）およびトリス−（ジ−ｔｅｒｔ−ブチルフェニル）ホスファイト（Ｃｉｂａから商標Ｉｒｇａｆｏｓ（登録商標）ＯＰＨで市販）、（Ｄｉ−ｎ−オクチルホスファイト）およびイソデシルジフェニルホスファイト（Ｃｉｂａから商標Ｉｒｇａｆｏｓ（登録商標）ＤＤＰＰで市販）、トリアルキルホスフェート（トリメチルホスフェート、トリエチルホスフェート、トリブチルホスフェート、トリオクチルホスフェート、およびトリ（２−エチルヘキシル）ホスフェートなど）、トリアリールホスフェート（トリフェニルホスフェート、トリクレシルホスフェート、およびトリキシレニルホスフェートを含む）、および混合アルキル−アリールホスフェート（イソプロピルフェニルホスフェート（ＩＰＰＰ）、およびビス（ｔ−ブチルフェニル）フェニルホスフェート（ＴＢＰＰ）を含む）、ブチル化トリフェニルホスフェート（Ｓｙｎ−Ｏ−Ａｄ（登録商標）８７８４をはじめとする商標Ｓｙｎ−Ｏ−Ａｄ（登録商標）で市販されているものなど）、ｔｅｒｔ−ブチル化トリフェニルホスフェート（商標Ｄｕｒａｄ（登録商標）６２０で市販されているものなど）、イソプロピル化トリフェニルホスフェート（商標Ｄｕｒａｄ（登録商標）２２０およびＤｕｒａｄ（登録商標）１１０で市販されているものなど）、アニソール、１，４−ジメトキシベンゼン、１，４−ジエトキシベンゼン、１，３，５−トリメトキシベンゼン、ミルセン、アロオシメン、リモネン（特に、ｄ−リモネン）、レチナール、ピネン、メントール、ゲラニオール、ファルネソール、フィトール、ビタミンＡ、テルピネン、デルタ−３−カレン、テルピノレン、フェランドレン、フェンケン、ジペンテン、カラテノイド（ｃａｒａｔｅｎｏｉｄ）（リコペン、ベータカロテンなど）、およびキサントフィル（ゼアキサンチンなど）、レチノイド（ヘパキサンチンおよびイソトレチノインなど）、ボルナン、１，２−プロピレンオキシド、１，２−ブチレンオキシド、ｎ−ブチルグリシジルエーテル、トリフルオロメチルオキシラン、１，１−ビス（トリフルオロメチル）オキシラン、３−エチル−３−ヒドロキシメチル−オキセタン（ＯＸＴ−１０１（Ｔｏａｇｏｓｅｉ  Ｃｏ．，Ｌｔｄ）など）、３−エチル−３−（（フェノキシ）メチル）−オキセタン（ＯＸＴ−２１１（Ｔｏａｇｏｓｅｉ  Ｃｏ．，Ｌｔｄ）など）、３−エチル−３−（（２−エチル−ヘキシルオキシ）メチル）−オキセタン（ＯＸＴ−２���２（Ｔｏａｇｏｓｅｉ  Ｃｏ．，Ｌｔｄ）など）、アスコルビン酸、メタンチオール（メチルメルカプタン）、エタンチオール（エチルメルカプタン）、補酵素Ａ、ジメルカプトコハク酸（ＤＭＳＡ）、グレープフルーツメルカプタン（（Ｒ）−２−（４−メチルシクロヘキサ−３−エニル）プロパン−２−チオール））、システイン（（Ｒ）−２−アミノ−３−スルファニル−プロパン酸）、リポアミド（１，２−ジチオラン−３−ペンタンアミド）、５，７−ビス（１，１−ジメチルエチル）−３−［２，３（または３，４）−ジメチルフェニル］−２（３Ｈ）−ベンゾフラノン（Ｃｉｂａから商標Ｉｒｇａｎｏｘ（登録商標）ＨＰ−１３６で市販）、ベンジルフェニルスルフィド、ジフェニルスルフィド、ジイソプロピルアミン、ジオクタデシル３，３’−チオジプロピオネート（Ｃｉｂａから商標Ｉｒｇａｎｏｘ（登録商標）ＰＳ８０２（Ｃｉｂａ）で市販）、ジドデシル３，３’−チオプロピオネート（Ｃｉｂａから商標Ｉｒｇａｎｏｘ（登録商標）ＰＳ８００で市販）、ジ−（２，２，６，６−テトラメチル−４−ピペリジル）セバケート（Ｃｉｂａから商標Ｔｉｎｕｖｉｎ（登録商標）７７０で市販）、ポリ−（Ｎ−ヒドロキシエチル−２，２，６，６−テトラメチル−４−ヒドロキシ−ピペリジルスクシネート（Ｃｉｂａから商標Ｔｉｎｕｖｉｎ（登録商標）６２２ＬＤ（Ｃｉｂａ）で市販）、メチルビスタローアミン、ビスタローアミン、フェノール−アルファ−ナフチルアミン、ビス（ジメチルアミノ）メチルシラン（ＤＭＡＭＳ）、トリス（トリメチルシリル）シラン（ＴＴＭＳＳ）、ビニルトリエトキシシラン、ビニルトリメトキシシラン、２，５−ジフルオロベンゾフェノン、２’，５’−ジヒドロキシアセトフェノン、２−アミノベンゾフェノン、２−クロロベンゾフェノン、ベンジルフェニルスルフィド、ジフェニルスルフィド、ジベンジルスルフィド、イオン性液体、ならびにこれらの混合物および組み合わせからなる群から選択され得る。
【０１５６】
あるいは、本発明の組成物と共に使用される添加剤は、イオン性液体安定剤であり得る。イオン性液体安定剤は、ピリジニウム、ピリダジニウム、ピリミジニウム、ピラジニウム、イミダゾリウム、ピラゾリウム、チアゾリウム、オキサゾリウムおよびトリアゾリウム、ならびにこれらの混合物からなる群から選択されるカチオンと、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、およびＦ−、ならびにこれらの混合物からなる群から選択されるアニオンとを含有する塩である、室温（約２５℃）で液体の有機塩からなる群から選択することができる。いくつかの実施形態では、イオン性液体安定剤は、ｅｍｉｍ  ＢＦ４（１−エチル−３−メチルイミダゾリウムテトラフルオロボレート）、ｂｍｉｍ  ＢＦ４（１−ブチル−３−メチルイミダゾリウムテトラボレート）、ｅｍｉｍ  ＰＦ６（１−エチル−３−メチルイミダゾリウムヘキサフルオロホスフェート）、およびｂｍｉｍ  ＰＦ６（１−ブチル−３−メチルイミダゾリウムヘキサフルオロホスフェート）（これらは全てＦｌｕｋａ（Ｓｉｇｍａ−Ａｌｄｒｉｃｈ）から入手可能である）からなる群から選択される。
【０１５７】
いくつかの実施形態では、安定剤はヒンダードフェノールであってもよく、これは、１つまたは複数の置換または環状、直鎖、または分枝状の脂肪族置換基を含むフェノールを含む任意の置換フェノール化合物であり、例えば、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔブチルフェノール、トコフェロールなどを含むアルキル化モノフェノールと、ヒドロキノンおよびアルキル化ヒドロキノン（ｔ−ブチルヒドロキノンを含む）、ヒドロキノンのその他の誘導体などと、４，４’−チオ−ビス（２−メチル−６−ｔｅｒｔ−ブチルフェノール）、４，４’−チオビス（３−メチル−６−ｔｅｒｔブチルフェノール）、２，２’−チオビス（４メチル−６−ｔｅｒｔ−ブチルフェノール）などを含むヒドロキシル化チオジフェニルエーテルと、４，４’−メチレンビス（２，６−ジ−ｔｅｒｔ−ブチルフェノール）、４，４’−ビス（２，６−ジ−ｔｅｒｔ−ブチルフェノール）、２，２’−または４，４−ビフェノールジオールの誘導体、２，２’−メチレンビス（４−エチル−６−ｔｅｒｔブチルフェノール）、２，２’−メチレンビス（４−メチル−６−ｔｅｒｔブチルフェノール）、４，４−ブチリデンビス（３−メチル−６−ｔｅｒｔ−ブチルフェノール）、４，４−イソプロピリデンビス（２，６−ジ−ｔｅｒｔ−ブチルフェノール）、２，２’−メチレンビス（４−メチル−６−ノニルフェノール）、２，２’−イソブチリデンビス（４，６−ジメチルフェノール、２，２’−メチレンビス（４−メチル−６−シクロヘキシルフェノール、２，２−または４，４−ビフェニルジオール（２，２’−メチレンビス（４−エチル−６−ｔｅｒｔ−ブチルフェノール）を含む）、ブチル化ヒドロキシトルエン（ＢＨＴ、または２，６−ジ−ｔｅｒｔ−ブチル−４−メチルフェノール）、へテロ原子を含むビスフェノール（２，６−ジ−ｔｅｒｔ−アルファ−ジメチルアミノ−ｐ−クレゾール、４，４−チオビス（６−ｔｅｒｔ−ブチル−ｍ−クレゾール）を含む）などを含むアルキリデン−ビスフェノールと、アシルアミノフェノールと、２，６−ジ−ｔｅｒｔ−ブチル−４（Ｎ，Ｎ’−ジメチルアミノメチルフェノール）と、ビス（３−メチル−４−ヒドロキシ−５−ｔｅｒｔ−ブチルベンジル）スルフィド、ビス（３，５−ジ−ｔｅｒｔ−ブチル−４−ヒドロキシベンジル）スルフィドを含むスルフィドと、これらの混合物（この段落で開示されるフェノールのいずれかの混合物を意味する）などである。
【０１５８】
あるいは、本発明の組成物と共に使用される添加剤は、トレーサーであり得る。トレーサーは、同じ種類の化合物または異なる種類の化合物からの２つ以上のトレーサー化合物であってもよい。いくつかの実施形態では、トレーサーは、全組成物の重量を基準として約５０重量百万分率（ｐｐｍ）〜約１０００ｐｐｍの全濃度で組成物中に存在する。その他の実施形態では、トレーサーは、約５０ｐｐｍ〜約５００ｐｐｍの全濃度で存在する。あるいは、トレーサーは約１００ｐｐｍ〜約３００ｐｐｍの全濃度で存在する。
【０１５９】
トレーサーは、ハイドロフルオロカーボン（ＨＦＣ）、重水素化ハイドロフルオロカーボン、ペルフルオロカーボン、フルオロエーテル、臭素化化合物、ヨウ素化化合物、アルコール、アルデヒドおよびケトン、亜酸化窒素およびこれらの組み合わせからなる群から選択され得る。あるいは、トレーサーは、フルオロエタン、１，１，１−トリフルオロエタン、１，１，１，３，３，３−ヘキサフルオロプロパン、１，１，１，２，３，３，３−ヘプタフルオロプロパン、１，１，１，３，３−ペンタフルオロプロパン、１，１，１，３，３−ペンタフルオロブタン、１，１，１，２，３，４，４，５，５，５−デカフルオロペンタン、１，１，１，２，２，３，４，５，５，６，６，７，７，７−トリデカフルオロヘプタン、ヨードトリフルオロメタン、重水素化炭化水素、重水素化ハイドロフルオロカーボン、ペルフルオロカーボン、フルオロエーテル、臭素化化合物、ヨウ素化化合物、アルコール、アルデヒド、ケトン、亜酸化窒素（Ｎ２Ｏ）およびこれらの混合物からなる群から選択され得る。いくつかの実施形態では、トレーサーは、２つ以上のハイドロフルオロカーボン、または１つもしくは複数のペルフルオロカーボンと組み合わせた１つのハイドロフルオロカーボンを含有するブレンドである。
【０１６０】
トレーサーは、組成物の希釈、汚染またはその他の変更をどれも検出可能にするような所定の量で本発明の組成物に添加され得る。
【０１６１】
本発明の組成物と共に使用され得る添加剤は、あるいは、ペルフルオロポリエーテルであってもよい。ペルフルオロポリエーテルの共通の特徴は、ペルフルオロアルキルエーテル部分の存在である。ペルフルオロポリエーテルは、ペルフルオロポリアルキルエーテルと同義である。頻繁に使用されるその他の同義語としては、「ＰＦＰＥ」、「ＰＦＡＥ」、「ＰＦＰＥ油」、「ＰＦＰＥ流体」、および「ＰＦＰＡＥ」が挙げられる。いくつかの実施形態では、ペルフルオロポリエーテルは、ＣＦ３−（ＣＦ２）２−Ｏ−［ＣＦ（ＣＦ３）−ＣＦ２−Ｏ］ｊ’−Ｒ’ｆの式を有し、ＤｕＰｏｎｔからＫｒｙｔｏｘ（登録商標）という商標で市販されている。直前の式において、ｊ’は２〜１００（両端を含む）であり、Ｒ’ｆは、ＣＦ２ＣＦ３、Ｃ３〜Ｃ６ペルフルオロアルキル基、またはこれらの組み合わせである。
【０１６２】
Ａｕｓｉｍｏｎｔ（Ｍｉｌａｎ，Ｉｔａｌｙ）、およびＭｏｎｔｅｄｉｓｏｎ  Ｓ．ｐ．Ａ．（Ｍｉｌａｎ，Ｉｔａｌｙ）から、それぞれ商標Ｆｏｍｂｌｉｎ（登録商標）およびＧａｌｄｅｎ（登録商標）で市販されており、ペルフルオロオレフィンの光酸化によって製造されるその他のＰＦＰＥも使用可能である。
【０１６３】
商標Ｆｏｍｂｌｉｎ（登録商標）−Ｙで市販されているＰＦＰＥは、ＣＦ３Ｏ（ＣＦ２ＣＦ（ＣＦ３）−Ｏ−）ｍ’（ＣＦ２−Ｏ−）ｎ’−Ｒ１ｆの式を有することができる。また、ＣＦ３Ｏ［ＣＦ２ＣＦ（ＣＦ３）Ｏ］ｍ’（ＣＦ２ＣＦ２Ｏ）ｏ’（ＣＦ２Ｏ）ｎ’−Ｒ１ｆも適切である。式中、Ｒ１ｆはＣＦ３、Ｃ２Ｆ５、Ｃ３Ｆ７、またはこれらの２つ以上の組み合わせであり、（ｍ’＋ｎ’）は８〜４５（両端を含む）であり、ｍ／ｎは２０〜１０００（両端を含む）であり、ｏ’は１であり、（ｍ’＋ｎ’＋ｏ’）は８〜４５（両端を含む）であり、ｍ’／ｎ’は２０〜１０００（両端を含む）である。
【０１６４】
商標Ｆｏｍｂｌｉｎ（登録商標）−Ｚで市販されているＰＦＰＥは、ＣＦ３Ｏ（ＣＦ２ＣＦ２−Ｏ−）ｐ’（ＣＦ２−Ｏ）ｑ’ＣＦ３の式を有することができ、式中、（ｐ’＋ｑ’）は４０〜１８０であり、ｐ’／ｑ’は０．５〜２である（両端を含む）。
【０１６５】
ダイキン工業株式会社（日本）から商標ＤｅｍｎｕｍＴＭで市販されている別の群のＰＦＰＥも使用することができる。これは、２，２，３，３−テトラフルオロオキセタンの連続的なオリゴマー化およびフッ素化によって製造することができ、Ｆ−［（ＣＦ２）３−Ｏ］ｔ’−Ｒ２ｆの式が得られる。式中、Ｒ２ｆはＣＦ３、Ｃ２Ｆ５、またはこれらの組み合わせであり、ｔ’は２〜２００（両端を含む）である。
【０１６６】
いくつかの実施形態では、ＰＦＰＥは官能化されていない。非官能化ペルフルオロポリエーテルでは、末端基は、分枝状または直鎖ペルフルオロアルキルラジカル末端基であり得る。このようなペルフルオロポリエーテルの例はＣｒ’Ｆ（２ｒ’＋１）−Ａ−Ｃｒ’Ｆ（２ｒ’＋１）の式を有することができ、式中、各ｒ’は独立して３〜６であり、ＡはＯ−（ＣＦ（ＣＦ３）ＣＦ２−Ｏ）ｗ’、Ｏ−（ＣＦ２−Ｏ）ｘ’（ＣＦ２ＣＦ２−Ｏ）ｙ’、Ｏ−（Ｃ２Ｆ４−Ｏ）ｗ’、Ｏ−（Ｃ２Ｆ４−Ｏ）ｘ’（Ｃ３Ｆ６−Ｏ）ｙ’、Ｏ−（ＣＦ（ＣＦ３）ＣＦ２−Ｏ）ｘ’（ＣＦ２−Ｏ）ｙ’、Ｏ−（ＣＦ２ＣＦ２ＣＦ２−Ｏ）ｗ’、Ｏ−（ＣＦ（ＣＦ３）ＣＦ２−Ｏ）ｘ’（ＣＦ２ＣＦ２−Ｏ）ｙ’−（ＣＦ２−Ｏ）ｚ’、またはこれらの２つ以上の組み合わせでよく、好ましくは、ＡはＯ−（ＣＦ（ＣＦ３）ＣＦ２−Ｏ）ｗ’、Ｏ−（Ｃ２Ｆ４−Ｏ）ｗ’、Ｏ−（Ｃ２Ｆ４−Ｏ）ｘ’（Ｃ３Ｆ６−Ｏ）ｙ’、Ｏ−（ＣＦ２ＣＦ２ＣＦ２−Ｏ）ｗ’、またはこれらの２つ以上の組み合わせであり、ｗ’は４〜１００であり、ｘ’およびｙ’はそれぞれ独立して１〜１００である。特定の例としては、Ｆ（ＣＦ（ＣＦ３）−ＣＦ２−Ｏ）９−ＣＦ２ＣＦ３、Ｆ（ＣＦ（ＣＦ３）−ＣＦ２−Ｏ）９−ＣＦ（ＣＦ３）２、およびこれらの組み合わせが挙げられるが、これらに限定されない。このようなＰＦＰＥでは、ハロゲン原子の最大３０％までが、例えば塩素原子などのフッ素以外のハロゲンであり得る。
【０１６７】
その他の実施形態では、ペルフルオロポリエーテルの２つの末端基は、独立して、同じまたは異なる基によって官能化されてもよい。官能化ＰＦＰＥは、ペルフルオロポリエーテルの２つの末端基の少なくとも１つにおいて、そのハロゲン原子の少なくとも１つがエステル、ヒドロキシル、アミン、アミド、シアノ、カルボン酸、スルホン酸またはこれらの組み合わせから選択される基によって置換されたＰＦＰＥである。
【０１６８】
いくつかの実施形態では、代表的なエステル末端基には、−ＣＯＯＣＨ３、−ＣＯＯＣＨ２ＣＨ３、−ＣＦ２ＣＯＯＣＨ３、−ＣＦ２ＣＯＯＣＨ２ＣＨ３、−ＣＦ２ＣＦ２ＣＯＯＣＨ３、−ＣＦ２ＣＦ２ＣＯＯＣＨ２ＣＨ３、−ＣＦ２ＣＨ２ＣＯＯＣＨ３、−ＣＦ２ＣＦ２ＣＨ２ＣＯＯＣＨ３、−ＣＦ２ＣＨ２ＣＨ２ＣＯＯＣＨ３、−ＣＦ２ＣＦ２ＣＨ２ＣＨ２ＣＯＯＣＨ３が含まれる。
【０１６９】
いくつかの実施形態では、代表的なヒドロキシル末端基には、−ＣＦ２ＯＨ、−ＣＦ２ＣＦ２ＯＨ、−ＣＦ２ＣＨ２ＯＨ、−ＣＦ２ＣＦ２ＣＨ２ＯＨ、−ＣＦ２ＣＨ２ＣＨ２ＯＨ、−ＣＦ２ＣＦ２ＣＨ２ＣＨ２ＯＨが含まれる。
【０１７０】
いくつかの実施形態では、代表的なアミン末端基には、−ＣＦ２ＮＲ１Ｒ２、−ＣＦ２ＣＦ２ＮＲ１Ｒ２、−ＣＦ２ＣＨ２ＮＲ１Ｒ２、−ＣＦ２ＣＦ２ＣＨ２ＮＲ１Ｒ２、−ＣＦ２ＣＨ２ＣＨ２ＮＲ１Ｒ２、−ＣＦ２ＣＦ２ＣＨ２ＣＨ２ＮＲ１Ｒ２が含まれ、ここで、Ｒ１およびＲ２は独立してＨ、ＣＨ３、またはＣＨ２ＣＨ３である。
【０１７１】
いくつかの実施形態では、代表的なアミド末端基には、−ＣＦ２Ｃ（Ｏ）ＮＲ１Ｒ２、−ＣＦ２ＣＦ２Ｃ（Ｏ）ＮＲ１Ｒ２、−ＣＦ２ＣＨ２Ｃ（Ｏ）ＮＲ１Ｒ２、−ＣＦ２ＣＦ２ＣＨ２Ｃ（Ｏ）ＮＲ１Ｒ２、−ＣＦ２ＣＨ２ＣＨ２Ｃ（Ｏ）ＮＲ１Ｒ２、−ＣＦ２ＣＦ２ＣＨ２ＣＨ２Ｃ（Ｏ）ＮＲ１Ｒ２が含まれ、ここで、Ｒ１およびＲ２は独立してＨ、ＣＨ３、またはＣＨ２ＣＨ３である。
【０１７２】
いくつかの実施形態では、代表的なシアノ末端基には、−ＣＦ２ＣＮ、−ＣＦ２ＣＦ２ＣＮ、−ＣＦ２ＣＨ２ＣＮ、−ＣＦ２ＣＦ２ＣＨ２ＣＮ、−ＣＦ２ＣＨ２ＣＨ２ＣＮ、−ＣＦ２ＣＦ２ＣＨ２ＣＨ２ＣＮが含まれる。
【０１７３】
いくつかの実施形態では、代表的なカルボン酸末端基には、−ＣＦ２ＣＯＯＨ、−ＣＦ２ＣＦ２ＣＯＯＨ、−ＣＦ２ＣＨ２ＣＯＯＨ、−ＣＦ２ＣＦ２ＣＨ２ＣＯＯＨ、−ＣＦ２ＣＨ２ＣＨ２ＣＯＯＨ、−ＣＦ２ＣＦ２ＣＨ２ＣＨ２ＣＯＯＨが含まれる。
【０１７４】
いくつかの実施形態では、スルホン酸末端基は、−Ｓ（Ｏ）（Ｏ）ＯＲ３、−Ｓ（Ｏ）（Ｏ）Ｒ４、−ＣＦ２ＯＳ（Ｏ）（Ｏ）ＯＲ３、−ＣＦ２ＣＦ２ＯＳ（Ｏ）（Ｏ）ＯＲ３、−ＣＦ２ＣＨ２ＯＳ（Ｏ）（Ｏ）ＯＲ３、−ＣＦ２ＣＦ２ＣＨ２ＯＳ（Ｏ）（Ｏ）ＯＲ３、−ＣＦ２ＣＨ２ＣＨ２ＯＳ（Ｏ）（Ｏ）ＯＲ３、−ＣＦ２ＣＦ２ＣＨ２ＣＨ２ＯＳ（Ｏ）（Ｏ）ＯＲ３、−ＣＦ２Ｓ（Ｏ）（Ｏ）ＯＲ３、−ＣＦ２ＣＦ２Ｓ（Ｏ）（Ｏ）ＯＲ３、−ＣＦ２ＣＨ２Ｓ（Ｏ）（Ｏ）ＯＲ３、−ＣＦ２ＣＦ２ＣＨ２Ｓ（Ｏ）（Ｏ）ＯＲ３、−ＣＦ２ＣＨ２ＣＨ２Ｓ（Ｏ）（Ｏ）ＯＲ３、−ＣＦ２ＣＦ２ＣＨ２ＣＨ２Ｓ（Ｏ）（Ｏ）ＯＲ３、−ＣＦ２ＯＳ（Ｏ）（Ｏ）Ｒ４、−ＣＦ２ＣＦ２ＯＳ（Ｏ）（Ｏ）Ｒ４、−ＣＦ２ＣＨ２ＯＳ（Ｏ）（Ｏ）Ｒ４、−ＣＦ２ＣＦ２ＣＨ２ＯＳ（Ｏ）（Ｏ）Ｒ４、−ＣＦ２ＣＨ２ＣＨ２ＯＳ（Ｏ）（Ｏ）Ｒ４、−ＣＦ２ＣＦ２ＣＨ２ＣＨ２ＯＳ（Ｏ）（Ｏ）Ｒ４からなる群から選択され、ここで、Ｒ３はＨ、ＣＨ３、ＣＨ２ＣＨ３、ＣＨ２ＣＦ３、ＣＦ３、またはＣＦ２ＣＦ３であり、Ｒ４はＣＨ３、ＣＨ２ＣＨ３、ＣＨ２ＣＦ３、ＣＦ３、またはＣＦ２ＣＦ３である。
【０１７５】
添加剤は、ブチル化トリフェニルホスフェート（ＢＴＰＰ）、または他のアルキル化トリアリールリン酸エステル、例えば、Ｓｙｎ−０−Ａｄ（登録商標）８４７８という商標でＡｋｚｏ  Ｃｈｅｍｉｃａｌｓから販売されているもの、トリクレジルホスフェートおよび関連化合物などのＥＰ（極圧）潤滑性添加剤のトリアリールホスフェート類のメンバーであり得る。さらに、市販のＬｕｂｒｉｚｏｌ  １３７５およびこの類の化学物質の他のメンバーを含む金属ジアルキルジチオホスフェート（例えば、亜鉛ジアルキルジチオホスフェート（または、ＺＤＤＰ）が、開示される組成物の組成において使用される。その他の摩耗防止添加剤には、天然物油および非対称性ポリヒドロキシル潤滑添加剤、例えば市販のＳｙｎｅｒｇｏｌ  ＴＭＳ（Ｉｎｔｅｒｎａｔｉｏｎａｌ  Ｌｕｂｒｉｃａｎｔｓ）などが含まれる。
【０１７６】
いくつかの実施形態では、酸化防止剤、フリーラジカル捕捉剤、および水捕捉剤、ならびにこれらの混合物などの安定剤が含まれる。このカテゴリーのこのような添加剤は、ブチル化ヒドロキシトルエン（ＢＨＴ）、エポキシド、およびこれらの混合物を含むことができるが、これらに限定されない。腐食防止剤には、ドデシルコハク酸（ＤＤＳＡ）、アミンホスフェート（ＡＰ）、オレオイルサルコシン、イミダゾン誘導体および置換スルホネートが含まれる。
【０１７７】
一実施形態では、本明細書に開示される組成物は、所望の量の個々の成分を混ぜ合わせるための任意の便利な方法によって調製することができる。好ましい方法は、所望の成分量を秤量し、その後、適切な容器内で成分を混ぜ合わせることである。所望される場合には、攪拌が使用されてもよい。
【０１７８】
別の実施形態では、本明細書に開示される組成物は、（ｉ）少なくとも１つの冷媒コンテナから、本明細書に開示される冷媒組成物の１つまたは複数の成分のある量を回収することと、（ｉｉ）前記の１つまたは複数の回収された成分の再使用を可能にするために不純物を十分に除去することと、（ｉｉｉ）任意選択で、本明細書中の種々の実施形態に記載される組成物をもたらすために、前記回収された量の成分の全てまたは一部を、少なくとも１つの付加的な冷媒組成物または成分と混ぜ合わせることとを含む方法によって調製することができる。
【０１７９】
冷媒容器は、冷凍装置、空調装置またはヒートポンプ装置内で使用されていた冷媒ブレンド組成物が貯蔵されるどんな容器であってもよい。前記冷媒容器は、冷媒ブレンドが使用された冷凍装置、空調装置またはヒートポンプ装置であってもよい。さらに、冷媒容器は、回収された冷媒ブレンド成分を捕集するための貯蔵容器（加圧ガスシリンダーを含むがこれに限定されない）であってもよい。
【０１８０】
残留冷媒は、冷媒ブレンドまたは冷媒ブレンド成分を移すために知られている任意の方法によって冷媒容器から外に出すことができる任意の量の冷媒ブレンドまたは冷媒ブレンド成分を意味する。
【０１８１】
不純物は、冷凍装置、空調装置またはヒートポンプ装置におけるその使用のために冷媒ブレンドまたは冷媒ブレンド成分中に存在するあらゆる成分であり得る。このような不純物は、冷凍潤滑剤（本明細書で前述されたものである）、冷凍装置、空調装置またはヒートポンプ装置から出てきた可能性のある微粒子（金属、金属塩またはエラストマー粒子を含むがこれらに限定されない）、および冷媒ブレンド組成物の性能に悪影響を与える可能性のあるあらゆる他の汚染物質を含むが、これらに限定されない。
【０１８２】
このような不純物は、冷媒ブレンドまたは冷媒ブレンド成分が使用されるであろう装置の性能に悪影響を与えることなく冷媒ブレンドまたは冷媒ブレンド成分の再使用を可能にするように十分に除去され得る。
【０１８３】
所与の製品に要求される仕様を満たす組成物を生じるために、付加的な冷媒ブレンドまたは冷媒ブレンド成分を残留冷媒ブレンドまたは冷媒ブレンド成分に提供することが必要なこともある。例えば、冷媒ブレンドが特定の重量百分率範囲の３つの成分を有する場合、組成物を仕様限界の範囲内に回復させるために、成分の１つまたは複数を所与の量で添加することが必要なこともある。
【０１８４】
本発明の組成物は、ゼロオゾン層破壊係数および低地球温暖化係数（ＧＷＰ）を有する。さらに、本発明の組成物は、現在使用されている多くのハイドロフルオロカーボン冷媒よりも小さい地球温暖化係数を有するであろう。本発明の一態様は、１０００未満、７００未満、５００未満、４００未満、３００未満、または１５０未満、１００未満の地球温暖化係数を有する冷媒を提供することである。
【０１８５】
使用方法
本明細書に開示される組成物は、伝熱組成物、エアロゾル噴射剤、起泡剤、発泡剤、溶媒、洗浄剤、キャリア流体、置換乾燥剤、バフ研磨剤、重合媒体、ポリオレフィンおよびポリウレタン用の膨張剤、気体誘電体、消火剤、鎮火剤および動力サイクルの作動流体として有用である。さらに、液体または気体の形態で、開示される組成物は、熱源からヒートシンクへ熱を運ぶために使用される作動流体としての機能も果たすことができる。このような伝熱組成物は、流体が相変化（すなわち、液体から気体、そして反対または逆方向）を受けるサイクルにおける冷媒としても有用である。
【０１８６】
多くの用途において、開示される組成物のいくつかの実施形態は冷媒として有用であり、少なくとも代替品が探索されている冷媒に匹敵する冷却性能（冷却容量およびエネルギー効率を意味する）を提供する。
【０１８７】
いくつかの実施形態では、本明細書に開示される組成物は、多数の伝熱組成物のために設計されたあらゆる容積式圧縮器システムに有用である。さらに、開示される組成物の多くは、前述の冷媒と同様の性能を提供するために、容積式圧縮器を用いる新しい装置において有用である。
【０１８８】
一実施形態では、本明細書に開示される組成物を凝縮させ、その後、冷却すべき本体の近くで前記組成物を蒸発させることを含む、冷却をもたらすための方法が本明細書において開示される。
【０１８９】
別の実施形態では、加熱すべき本体の近くで本明細書に開示される組成物を凝縮させ、その後、前記組成物を蒸発させることを含む、加熱をもたらすための方法が本明細書において開示される。
【０１９０】
いくつかの実施形態では、上記で開示される組成物の使用には、冷却をもたらすための方法において組成物を伝熱組成物として使用することが含まれ、ここで、組成物は初めに加圧下で冷却および貯蔵され、より暖かい環境にさらされると、組成物は周囲の熱のいくらかを吸収して膨張し、従ってそのより暖かい環境が冷却される。
【０１９１】
いくつかの実施形態では、本明細書に開示される組成物は、特に、冷却装置、高温ヒートポンプ、住宅用、商業用または工業用の空調システム（住宅用ヒートポンプを含む）を含むがこれらに限定されず、ウィンドウ型、ダクトレス型、ダクト型、パッケージドターミナル型冷却装置、およびルーフトップシステムなどの屋外用であるが建物に接続されたものを含む空調用途において有用であり得る。
【０１９２】
いくつかの実施形態では、本明細書に開示される組成物は、特に、高温、中温または低温の冷凍を含む冷凍用途において有用であり得る。高温冷凍システムは、特にスーパーマーケットの農産物セクションのためのものを含む。中温冷凍システムは、冷蔵を必要とする飲料、乳製品および他の品目のためのスーパーマーケットおよびコンビニエンスストアの冷蔵ケースを含む。低温冷凍システムは、スーパーマーケットおよびコンビニエンスストアの冷凍キャビネットおよびディスプレイ、製氷機、ならびに冷凍食品輸送を含む。商業用、工業用または住宅用の冷蔵庫および冷凍庫、製氷機、内蔵型クーラーおよび冷凍庫、スーパーマーケットのラックおよび分配システム、満液式蒸発器冷却装置、直接膨張冷却装置、ウォークインおよびリーチインクーラーおよび冷凍庫、ならびに組み合わせシステムなどにおけるその他の特定の使用。
【０１９３】
一実施形態では、現存の冷媒を使用するように設計されたシステムで前記現存の冷媒をそれぞれ置換するための方法が提供されており、前記方法は、本明細書に開示される組成物を提供することを含む。前記現存の冷媒がＲ−２２、Ｒ−４０４Ａ、Ｒ−４０７Ｃ、およびＲ−１３４ａからなる群から選択される方法が使用され得る。
【０１９４】
別の実施形態では、本明細書に開示される組成物は、Ｒ−２２、Ｒ−４０４Ａ、Ｒ−４０７Ｃ、およびＲ−１３４ａからなる群から選択される冷媒の代替品として使用され得る。一実施形態では、本明細書に開示される組成物は、Ｒ−２２の代替品として使用され得る。置換は、Ｒ−２２を使用するように設計されたシステムで行われる。別の実施形態では、本明細書に開示される組成物は、Ｒ−４０７Ｃの代替品として使用され得る。置換は、Ｒ−４０７Ｃを使用するように設計されたシステムで行われる。別の実施形態では、本明細書に開示される組成物は、Ｒ−４０４Ａの代替品として使用され得る。置換は、Ｒ−４０４Ａを使用するように設計されたシステムで行われる。別の実施形態では、本明細書に開示される組成物は、Ｒ−１３４ａの代替品として使用され得る。置換は、Ｒ−１３４ａを使用するように設計されたシステムで行われる。
【０１９５】
一実施形態では、Ｒ−１３４ａ、Ｒ−２２またはＲ−４０７Ｃの冷却容量の約＋／−１０％以内である組成物は直接的なドロップイン代替品であり得るので特に有用である。
【０１９６】
注目すべきは、約７５〜約８５重量パーセントのＨＦＯ−１２３４ｙｆと、約１０重量パーセントのＨＦＣ−３２と、約５〜約１５重量パーセントのＨＦＣ−１５２ａとを含み、改善された冷却性能を有するＲ−１３４ａの低ＧＷＰ代替品を提供する組成物である。
【０１９７】
同様に有用なのは、約５８〜約７４重量パーセントのＨＦＯ−１２３４ｙｆと、約２１．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−２２の低ＧＷＰ代替品を提供する組成物である。同様に、約５８〜約７４重量パーセントのＨＦＯ−１２３４ｙｆと、約２１．５重量パーセントのＨＦＣ−３２と、約５〜約２０重量パーセントのＨＦＣ−１５２ａ、ＨＦＯ−１２４３ｚｆ、またはこれらの混合物とを含む組成物は、Ｒ−４０７Ｃの低ＧＷＰ代替品を提供する。
【０１９８】
著しく有用なのは、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１８重量パーセントのＨＦＣ−１５２ａ、ＨＦＯ−１２４３ｚｆ、またはこれらの混合物とを含む組成物である。注目すべきは、約７５〜約８５重量パーセントのＨＦＯ−１２３４ｙｆと、約１０重量パーセントのＨＦＣ−３２と、約５〜約１５重量パーセントのＨＦＣ−１５２ａ、ＨＦＯ−１２４３ｚｆ、またはこれらの混合物とを含み、Ｒ−１３４ａの低ＧＷＰ代替品を提供する組成物である。
【０１９９】
同様に著しく有用なのは、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１５重量パーセントのＨＦＣ−１５２ａ、ＨＦＯ−１２４３ｚｆ、またはこれらの混合物とを含む組成物である。
【０２００】
同様に有用なのは、約５８〜約７４重量パーセントのＨＦＯ−１２３４ｙｆと、約２１．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−２２の低ＧＷＰ代替品を提供する組成物である。同様に、約５８〜約７４重量パーセントのＨＦＯ−１２３４ｙｆと、約２１．５重量パーセントのＨＦＣ−３２と、約５〜約２０重量パーセントのＨＦＣ−１５２ａ、ＨＦＯ−１２４３ｚｆ、またはこれらの混合物とを含む組成物であって、Ｒ−４０７Ｃの低ＧＷＰ代替品を提供する。
【０２０１】
同様に有用なのは、約５６重量パーセント〜約７２重量パーセントのＨＦＯ−１２３４ｙｆと、約８重量パーセント〜約３９重量パーセントのＨＦＣ−３２と、約５重量パーセント〜約２０重量パーセントのＨＦＣ−１５２ａとを含み、Ｒ−２２の低ＧＷＰ代替品を提供する組成物である。同様に、約５６重量パーセント〜約７２重量パーセントのＨＦＯ−１２３４ｙｆと、約８重量パーセント〜約３９重量パーセントのＨＦＣ−３２と、約５重量パーセント〜約２０重量パーセントのＨＦＣ−１５２ａとを含み、Ｒ−４０７Ｃの低ＧＷＰ代替品を提供する組成物である。
【０２０２】
同様に特に有用なのは、約５６重量パーセント〜約６２重量パーセントのＨＦＯ−１２３４ｙｆと、約８重量パーセント〜約２９重量パーセントのＨＦＣ−３２と、約５重量パーセント〜約２０重量パーセントのＨＦＣ−１５２ａと、約１０重量パーセントのＨＦＣ−１３４ａとを含み、Ｒ−２２の低ＧＷＰ代替品を提供する組成物である。同様に、約５６重量パーセント〜約６２重量パーセントのＨＦＯ−１２３４ｙｆと、約８重量パーセント〜約２９重量パーセントのＨＦＣ−３２と、約５重量パーセント〜約２０重量パーセントのＨＦＣ−１５２ａと、約１０重量パーセントのＨＦＣ−１３４ａとを含み、Ｒ−４０７Ｃの低ＧＷＰ代替品を提供する組成物である。
【０２０３】
別の実施形態では、約４４〜約５９重量パーセントのＨＦＯ−１２３４ｙｆと、約３６重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０２０４】
別の実施形態では、約３７〜約５３重量パーセントのＨＦＯ−１２３４ｙｆと、約４２．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０２０５】
別の実施形態では、約２２〜約３８重量パーセントのＨＦＯ−１２３４ｙｆと、約５７．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０２０６】
特に有用なのは、約５６〜約９８重量パーセントのトランス−ＨＦＯ−１２３４ｚｅと、約１〜約４３重量パーセントのＨＦＣ−３２と、約１〜約２０重量パーセントのＨＦＣ−１５２ａ、ＨＦＯ−１２４３ｚｆ、またはこれらの混合物とを含む組成物である。
【０２０７】
同様に注目すべきは、約７５〜約８５重量パーセントのトランス−ＨＦＯ−１２３４ｚｅと、約１０重量パーセントのＨＦＣ−３２と、約５〜約１５重量パーセントのＨＦＣ−１５２ａ、ＨＦＯ−１２４３ｚｆ、またはこれらの混合物とを含み、改善された冷却性能を有するＲ−１３４ａの低ＧＷＰ代替品を提供する組成物である。
【０２０８】
別の実施形態では、約３７〜約５３重量パーセントのトランス−ＨＦＯ−１２３４ｚｅと、約４２．５重量パーセントのＨＦＣ−３２と、約５〜約２０重量パーセントのＨＦＣ−１５２ａ、ＨＦＯ−１２４３ｚｆ、またはこれらの混合物とを含み、Ｒ−４０４Ａの低ＧＷＰ代替品を提供する組成物である。
【０２０９】
別の実施形態では、約２２〜約３８重量パーセントのトランス−ＨＦＯ−１２３４ｚｅと、約５７．５重量パーセントのＨＦＣ−３２と、約５〜約２０重量パーセントのＨＦＣ−１５２ａ、ＨＦＯ−１２４３ｚｆ、またはこれらの混合物とを含む組成物である。
【０２１０】
一実施形態では、Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａを置換するための方法が提供されており、前記方法は、本明細書に開示される組成物を前記システムに提供することを含む。
【０２１１】
さらに、いくつかの実施形態では、開示される組成物は、水、グリコールまたは、二酸化炭素を含み得る二次伝熱流体の使用によって遠隔地に冷却を提供する二次ループシステム内の一次冷媒として機能することができる。
【０２１２】
別の実施形態では、置換すべき冷媒および潤滑剤を含有する伝熱システムを再充填するための方法が提供され、前記方法は、潤滑剤の大部分を前記システム内に保持しながら、置換すべき冷媒を伝熱システムから除去し、本明細書に開示される組成物の１つを伝熱システムに導入することを含む。
【０２１３】
別の実施形態では、本明細書に開示される組成物を含む熱交換システムが提供され、前記システムは、空調装置、冷凍庫、冷蔵庫、ウォーターチラー、満液式蒸発器冷却装置、直接膨張冷却装置、ウォークインクーラー、ヒートポンプ、移動冷蔵庫、移動空調ユニット、およびこれらの組み合わせを有するシステムからなる群から選択される。
【０２１４】
蒸気圧縮冷凍、空調、またはヒートポンプシステムには、蒸発器、圧縮器、凝縮器、および膨張装置が含まれる。蒸気圧縮サイクルは、１つの工程で冷却効果を生じ、そして異なる行程で加熱効果を生じる多段階工程において、冷媒を再使用する。サイクルは、以下のように簡単に説明することができる。液体冷媒は膨張装置を通って蒸発器に入り、そして液体冷媒は蒸発器内で環境から熱を回収することによって低温で沸騰し、ガスを形成して冷却をもたらす。低圧ガスは圧縮器に入り、圧縮器においてガスが圧縮され、その圧力および温度が上昇される。より高圧（圧縮）ガス状の冷媒は次に凝縮器に入り、凝縮器において冷媒は凝縮され、その熱を環境に放出する。冷媒は膨張装置に戻り、液体は、膨張装置を通って、凝縮器内のより高圧レベルから蒸発器内の低圧レベルへ膨張し、このようにして、サイクルが繰り返される。
【０２１５】
一実施形態では、本明細書に開示される組成物を含有する伝熱システムが提供されている。別の実施形態では、本明細書に開示される組成物を含有する冷凍、空調、またはヒートポンプ装置が開示される。別の実施形態では、本明細書に開示される組成物を含有する固定冷凍、空調、またはヒートポンプ装置が開示される。特定の実施形態では、本発明の組成物を含有する中温冷凍装置が開示される。別の特定の実施形態では、本発明の組成物を含有する低温冷凍装置が開示される。
【０２１６】
さらに別の実施形態では、本明細書に開示される組成物を含有する移動冷凍または空調装置が開示される。
【０２１７】
また本明細書に開示される組成物は、有機ランキンサイクルなどの熱回収プロセスにおける動力サイクルの作動流体としても有用であり得る。この実施形態に関連して、熱を回収するための方法が開示され、本方法は、（ａ）加熱をもたらすプロセスと連通する第１の熱交換器に、作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む。
【０２１８】
上記の方法のための動力サイクルの作動流体は、本明細書に開示される組成物のいずれでもよい。第１の熱交換器において、熱は作動流体によって吸収され、作動流体が蒸発される。熱源は、排熱を含む利用可能な熱の任意の源を含むことができる。このような熱源には、燃料電池、内燃エンジン（排出ガス）、内部圧縮エンジン、外燃エンジン、石油精製所における作業、石油化学プラント、オイルおよびガスパイプライン、化学工業、商業ビル、ホテル、ショッピングモール、スーパーマーケット、ベーカリー、食品加工業、レストラン、塗料硬化炉、家具製造、プラスチック成形機、セメント窯、木材窯（乾燥）、焼成作業、鋼鉄工業、ガラス工業、鋳造所、溶錬、空調、冷凍、およびセントラルヒーティングが含まれる。
【０２１９】
機械的エネルギーを生じるデバイスはエキスパンダーまたはタービンでよく、それにより軸動力が生じ、所望の速度および要求されるトルクに応じて、ベルト、滑車、ギア、トランスミッションまたは同様のデバイス従来の配置を用いることによって、任意の種類の機械仕事を行うことができる。軸は誘導発電機などの発電デバイスに接続することができる。発生される電気は、局所的に使用されるか、あるいはグリッドに供給され得る。
【０２２０】
第２の熱交換器において、作動流体は凝縮され、次に第１の熱交換器に戻されることによって、サイクルが完了する。圧縮器またはポンプは、第２の熱交換器と第１の熱交換器との間でサイクルに含まれ、作動流体の圧力を高めることができる。
【実施例】
【０２２１】
本明細書に開示される概念は、特許請求の範囲に記載される本発明の範囲を限定することのない以下の実施例において、さらに説明されるであろう。
【０２２２】
実施例１
冷却性能
ＨＦＯ−１２３４ｙｆ、ＨＦＣ−３２、ＨＦＣ−１５２ａ、および任意選択で少なくとも１つの飽和ＨＦＣを含有する組成物の冷却性能が決定され、Ｒ−１３４ａ、Ｒ−２２、Ｒ−４０７Ｃ、およびＲ−４０４Ａと比較して表１に示される。圧力、放出温度、ＣＯＰ（エネルギー効率）および冷却容量（ｃａｐ）は、以下の特定の条件（空調に典型的）に対する物理特性の測定から計算される。
蒸発器温度          −１０℃
凝縮器温度          ４０℃
過冷却量            ６°Ｋ
戻りガス温度        １８℃
圧縮器効率          ７０％
過熱は冷却容量に含まれることに注意されたい。
【０２２３】
【表１】
2014528987.tif 000003
【０２２４】
【表２】
2014528987.tif 000004
【０２２５】
これらのデータは、本発明の特定の組成物が、Ｒ−１３４ａ、Ｒ−２２、およびＲ−４０７Ｃなどの現存の冷媒の良好な代替品としての役割を果たし得ることを示す。注目すべきは、５６〜７２％のＨＦＯ−１２３４ｙｆと、８〜３９％のＨＦＣ−３２と、５〜２０％のＨＦＣ−１５２ａとを含み、Ｒ−２２およびＲ−４０７Ｃの冷却容量の７５〜１１４％である冷却容量、Ｒ−２２のエネルギー効率の最大９６〜１０２％のエネルギー効率、ならびにより低い放出温度（従って、圧縮器の寿命が増大される）を示す組成物である。別の例では、５６〜６２％のＨＦＯ−１２３４ｙｆと、８〜２９％のＨＦＣ−３２と、５〜２０％のＨＦＣ−１５２ａと、１０％のＲ−１３４ａとを含む組成物は、Ｒ−２２およびＲ−４０７Ｃの冷却容量の７５〜１０２％である冷却容量、ならびに９８〜１０２％のエネルギー効率を示す。またこれらの組成物は、より低い圧縮器放出温度も示す。最も好ましいのは、直接的なドロップイン代替品であり得るので、Ｒ−２２およびＲ−４０７Ｃの冷却容量の約＋／−１０％以内である組成物である。
【０２２６】
実施例２
冷却性能
ＨＦＯ−１２３４ｙｆまたはトランス−ＨＦＯ−１２３４ｚｅ、ＨＦＣ−３２、およびＨＦＣ−１５２ａを含有する組成物の冷却性能が決定され、Ｒ−１３４ａ、Ｒ−２２、Ｒ−４０７Ｃ、およびＲ−４０４Ａと比較して表２に示される。圧力、放出温度、ＣＯＰ（エネルギー効率）および冷却容量（ｃａｐ）は、以下の特定の条件（空調に典型的）に対する物理特性の測定から計算される。
蒸発器温度          −１０℃
凝縮器温度          ４０℃
過冷却量            ６°Ｋ
戻りガス温度        １８℃
圧縮器効率          ７０％
過熱は冷却容量に含まれることに注意されたい。
【０２２７】
【表３】
2014528987.tif 000005
【０２２８】
【表４】
2014528987.tif 000006
【０２２９】
これらのデータは、本発明の特定の組成物が、Ｒ−１３４ａ、Ｒ−２２、Ｒ−４０７Ｃ、およびＲ−４０４Ａなどの現存の冷媒の良好な代替品としての役割を果たし得ることを示す。注目すべきは、７５〜８５％のＨＦＯ−１２３４ｙｆと、１０％のＨＦＣ−３２と、５〜１５％のＨＦＣ−１５２ａとを含み、Ｒ−１３４ａの冷却容量の１２５％である冷却容量、Ｒ−１３４ａよりも最大６％高いエネルギー効率、およびより低い放出温度（従って、圧縮器の寿命が増大される）を示す組成物である。別の例では、７５〜８５％のトランス−ＨＦＯ−１２３４ｚｅ（表中ではｔ−１２３４ｚｅと称される）と、１０％のＨＦＣ−３２と、５〜１５％のＨＦＣ−１５２ａとを含む組成物は、Ｒ−１３４ａの冷却容量に等しい冷却容量およびそれよりも７％高いエネルギー効率を示す。別の例では、約５８〜７４％のＨＦＯ−１２３４ｙｆと、約２１．５％のＨＦＣ−３２と、５〜２０％のＨＦＣ−１５２ａとを含む組成物は、Ｒ−２２およびＲ−４０７Ｃの冷却容量の９０〜９５％である冷却容量、それよりも３〜４％良好なエネルギー効率、ならびにより低い放出温度を示す。同様に、４４〜５９％のＨＦＯ−１２３４ｙｆと、３６％のＨＦＣ−３２と、５〜２０％のＨＦＣ−１５２ａとを含む組成物は、Ｒ−４０４Ａの冷却容量と等しいエネルギー効率および冷却容量を示す。別の例では、約３７〜５３％のＨＦＯ−１２３４ｙｆと、約４２．５％のＨＦＣ−３２と、５〜２０％のＨＦＣ−１５２ａとを含む組成物は、Ｒ−４０４Ａの冷却容量の１０３〜１０８％の冷却容量、および等しいエネルギー効率を示す。別の例では、約３７〜５３％のトランス−ＨＦＯ−１２３４ｚｅと、約４２．５％のＨＦＣ−３２と、５〜２０％のＨＦＣ−１５２ａとを含む組成物は、Ｒ−４０４Ａの冷却容量の６％以内の冷却容量、および等しいエネルギー効率を示す。別の例では、２２〜３８％のＨＦＯ−１２３４ｙｆと、５７．５％のＨＦＣ−３２と、５〜２０％のＨＦＣ−１５２ａとを含む組成物は、Ｒ−４０４Ａの冷却容量の１１４〜１２１％である冷却容量および等しいエネルギー効率を示す。別の例では、２２〜３８％のトランス−ＨＦＯ−１２３４ｚｅと、５７．５％のＨＦＣ−３２と、５〜２０％のＨＦＣ−１５２ａとを含む組成物は、Ｒ−４０４Ａの冷却容量の１０８〜１１０％である冷却容量および等しいエネルギー効率を示す。
【０２３０】
実施例３
本発明の組成物の燃焼速度は、１２リットル容器内の圧力の上昇を測定することによって、Ｒ−３２に対して決定した。ＨＦＣ−３２の燃焼速度は６．７ｃｍ／ｓ（ＩＳＯ−８１７）である。２５℃および大気圧の１２リットル容器内に空気中の化学量論的な量の組成物を導入した。溶融ニクロムワイヤ点火装置（ｆｕｓｅｄ−Ｎｉｃｈｒｏｍｅ  ｗｉｒｅ−ｉｇｎｉｔｅｒ）を用いて組成物に点火し、２気圧の圧力に達するまでの時間を測定した。Ｒ−３２が２気圧に達するまでの時間に対する各組成物の時間の比率を報告した。次に、この値を使用し、Ｒ−３２の燃焼速度が６．７ｃｍ／ｓであると仮定して、各混合物の燃焼速度を推定した。結果は、以下の表１に示される。
【０２３１】
【表５】
2014528987.tif 000007
【０２３２】
【表６】
2014528987.tif 000008
【０２３３】
結果は、最大約１５重量％のＨＦＣ−１５２ａが、Ｒ３２／ＨＦＯ−１２３４ｙｆおよび／またはＲ３２／トランス−ＨＦＯ−１２３４ｚｅ組成物に添加されて、約１０ｃｍ／ｓ未満の燃焼速度を維持できることを示す（ＡＳＨＲＡＥ  Ｓｔｄ  ３４による２Ｌ引火性と考えられる）。代替的に、図１において組成物中のＨＦＯ−１２３４ｙｆのＨＦＣ−１５２ａに対する重量％の比率を推定燃焼速度に対してプロットした。グラフは、ＨＦＯ−１２３４ｙｆ／ＨＦＣ−１５２比が少なくとも約２．８であれば、３２／１５２ａ／１２３４ｙｆ混合物が約１０ｃｍ／ｓ未満の燃焼速度を有し得ることを示す。
【０２３４】
実施例４
地球温暖化係数
開示される組成物のいくつかについての地球温暖化係数（ＧＷＰ）の値は、Ｒ−２２、ＨＦＣ−１３４ａ、Ｒ−４０４Ａ、およびＲ−４０７Ｃなどの現存の冷媒のＧＷＰ値と比較して表４に記載される。参考のために純粋な成分のＧＷＰが記載される。２つ以上の成分を含有する組成物のＧＷＰ値は、個々の成分のＧＷＰ値の加重平均として計算される。ＨＦＣの値は、「Ｃｌｉｍａｔｅ  Ｃｈａｎｇｅ  ２００７−ＩＰＣＣ（Ｉｎｔｅｒｇｏｖｅｒｎｍｅｎｔａｌ  Ｐａｎｅｌ  ｏｎ  Ｃｌｉｍａｔｅ  Ｃｈａｎｇｅ）Ｆｏｕｒｔｈ  Ａｓｓｅｓｓｍｅｎｔ  Ｒｅｐｏｒｔ  ｏｎ  Ｃｌｉｍａｔｅ  Ｃｈａｎｇｅ」から、「Ｗｏｒｋｉｎｇ  Ｇｒｏｕｐ  １  Ｒｅｐｏｒｔ：“Ｔｈｅ  Ｐｈｙｓｉｃａｌ  Ｓｃｉｅｎｃｅ  Ｂａｓｉｓ」という表題のセクション、第２章、２１２−２１３頁、表２．１４から引用される。ＨＦＯ−１２３４ｙｆの値は、Ｐａｐａｄｉｍｉｔｒｉｏｕ  ｅｔ  ａｌ．，Ｐｈｙｓｉｃａｌ  Ｃｈｅｍｉｓｔｒｙ  Ｃｈｅｍｉｃａｌ  Ｐｈｙｓｉｃｓ，２００７，第９巻，１〜１３−頁に発表された。特に、１００年の対象期間のＧＷＰ値が使用される。トランス−ＨＦＯ−１２３４ｚｅの値は、Ｈｉｇａｓｈｉにより、２０１０  Ｉｎｔｅｒｎａｔｉｏｎａｌ  Ｓｙｍｐｏｓｉｕｍ  ｏｎ  Ｎｅｘｔ−ｇｅｎｅｒａｔｉｏｎ  Ａｉｒ  Ｃｏｎｄｉｔｉｏｎｉｎｇ  ａｎｄ  Ｒｅｆｒｉｇｅｒａｔｉｏｎ  Ｔｅｃｈｎｏｌｏｇｙ，Ｆｅｂｒｕａｒｙ  １７−１９，２０１０，Ｔｏｋｙｏ，Ｊａｐａｎにおいて提示される。
【０２３５】
【表７】
2014528987.tif 000009
【０２３６】
本明細書に開示される多数の組成物は、Ｒ−２２、Ｒ−４０４Ａ、Ｒ−４０７Ｃ、およびＨＦＣ−１３４ａなどの現存の冷媒に対して著しくより低ＧＷＰの代替案を提供する。また、本発明の組成物の多くは、純粋なＨＦＣ−３２よりも低いＧＷＰを提供し、いくつかは純粋なＨＦＣ−１５２ａよりもさらに低いＧＷＰを提供する。
【０２３７】
実施例５
冷却性能
ＨＦＯ−１２３４ｙｆ、ＨＦＣ−３２、ＨＦＣ−１５２および／またはＨＦＯ−１２４３ｚｆ、ならびに任意選択で少なくとも１つの飽和ＨＦＣを含有する組成物の冷却性能が決定され、Ｒ−１３４ａ、Ｒ−２２、Ｒ−４０７Ｃ、およびＲ−４０４Ａと比較して表５に示される。圧力、放出温度、ＣＯＰ（エネルギー効率）および冷却容量（ｃａｐ）は、以下の特定の条件（空調に典型的）に対する物理特性の測定から計算される。
蒸発器温度          −１０℃
凝縮器温度          ４０℃
過冷却量            ６°Ｋ
戻りガス温度        １８℃
圧縮器効率          ７０％
過熱は冷却容量に含まれることに注意されたい。
【０２３８】
【表８】
2014528987.tif 000010
【０２３９】
これらのデータは、本発明の特定の組成物が、Ｒ−１３４ａ、Ｒ−２２、およびＲ−４０７Ｃなどの現存の冷媒の良好な代替品としての役割を果たし得ることを示す。注目すべきは、５６〜７２％のＨＦＯ−１２３４ｙｆと、１２〜３９％のＨＦＣ−３２と、０〜２０％のＨＦＣ−１５２ａと、０〜２０％のＨＦＯ−１２４３ｚｆとを含み、Ｒ−２２およびＲ−４０７Ｃの冷却容量の７９〜１１３％である冷却容量、Ｒ−２２およびＲ−４０７Ｃのエネルギー効率の最大９６〜１０１％であるエネルギー効率、ならびにより低い放出温度（従って、圧縮器の寿命が増大される）を示す組成物である。別の例では、５６〜６２％のＨＦＯ−１２３４ｙｆと、８〜２９％のＨＦＣ−３２と、０〜１０％のＨＦＣ−１５２ａと、０〜１５％のＨＦＯ−１２４３ｚｆと、１０％のＲ−１３４ａとを含む組成物は、Ｒ−２２およびＲ−４０７Ｃの冷却容量の７４〜１０２％である冷却容量、ならびに９８〜１０２％のエネルギー効率を示す。またこれらの組成物は、より低い圧縮器放出温度も示す。最も好ましいのは、直接的なドロップイン代替品であり得るので、Ｒ−２２およびＲ−４０７Ｃの冷却容量の約＋／−１０％以内の組成物である。
【０２４０】
選択される実施形態
実施形態Ａ−Ｉ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記ＨＦＯ−１２３４ｙｆまたはトランス−ＨＦＯ−１２３４ｚｅまたはこれらの混合物は、前記組成物の全重量の少なくとも５６重量パーセントである。
【０２４１】
実施形態Ａ−ＩＩ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記ＨＦＣ−３２は、前記組成物の全重量の最大で２９重量パーセントである。
【０２４２】
実施形態Ａ−ＩＩＩ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記ＨＦＣ−１５２ａ、ＨＦＯ−１２４３ｚｆまたはこれらの混合物は、前記組成物の全重量の少なくとも５６重量パーセントである。
【０２４３】
実施形態Ａ−ＩＶ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記ＨＦＣ−３２は、前記組成物の全重量の少なくとも５６重量パーセントである。
【０２４４】
実施形態Ａ−Ｖ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記組成物は、トランス−ＨＦＯ−１２３４ｚｅと、ＨＦＣ−３２と、ＨＦＣ−１５２ａ、ＨＦＯ−１２４３ｚｆまたはこれらの混合物とを含む。
【０２４５】
実施形態Ａ−ＶＩ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含む組成物であって、前記ＨＦＯ−１２４３ｚｆまたはＨＦＯ−１２４３ｚｆとＨＦＣ−１５２ａとの混合物は、前記組成物の全重量の最大で２０重量パーセントである。
【０２４６】
実施形態Ｂ−Ｉ。実施形態Ａ−Ｉ〜Ａ−ＶＩのいずれかに記載される組成物であって、前記組成物は、少なくとも１つの現存の冷媒の約７５％〜約１３０％の範囲の冷却容量を有する。
【０２４７】
実施形態Ｂ−ＩＩ。実施形態Ａ−Ｉ〜Ａ−ＶＩのいずれかに記載される組成物であって、前記組成物は、少なくとも１つの現存の冷媒の約８０％〜約１２０％の範囲の冷却容量を有する。
【０２４８】
実施形態Ｂ−ＩＩＩ。実施形態Ａ−Ｉ〜Ａ−ＶＩのいずれかに記載される組成物であって、前記組成物は、少なくとも１つの現存の冷媒の約９０％〜約１１０％の範囲の冷却容量を有する。
【０２４９】
実施形態Ｂ−ＩＶ。実施形態Ａ−Ｉ〜Ａ−ＶＩまたはＢ−Ｉ〜Ｂ−ＩＩＩのいずれかに記載される組成物であって、前記現存の冷媒は、Ｒ−２２、ＨＦＣ−１３４ａ、Ｒ−４０４Ａ、およびＲ−４０７Ｃからなる群から選択される。
【０２５０】
実施形態Ｂ−Ｖ。実施形態Ａ−Ｉ〜Ａ−ＶＩまたはＢ−Ｉ〜Ｂ−ＩＶのいずれかに記載される組成物であって、前記組成物の引火性は最高２Ｌに分類される。
【０２５１】
実施形態Ｃ−Ｉ。実施形態Ａ−Ｉ、Ａ−ＩＩ、Ａ−Ｖ、Ａ−ＶＩまたはＢ−Ｉ〜Ｂ−Ｖのいずれかに記載される組成物であって、約５６〜約９８重量パーセントのＨＦＯ−１２３４ｙｆまたはトランス−ＨＦＯ−１２３４ｚｅまたはこれらの混合物と、約１〜２９重量パーセントのＨＦＣ−３２と、約１〜約１８重量パーセントのＨＦＣ−１５２ａ、ＨＦＯ−１２４３ｚｆまたはこれらの混合物とを含む組成物。
【０２５２】
実施形態Ｃ−ＩＩ。実施形態Ａ−Ｉ、Ａ−ＩＩ、Ａ−Ｖ、Ａ−ＶＩまたはＢ−Ｉ〜Ｂ−Ｖのいずれかに記載される組成物であって、約６０〜約９８重量パーセントのＨＦＯ−１２３４ｙｆまたはトランス−ＨＦＯ−１２３４ｚｅまたはこれらの混合物と、約５〜２５重量パーセントのＨＦＣ−３２と、約５〜約１５重量パーセントのＨＦＣ−１５２ａ、ＨＦＯ−１２４３ｚｆまたはこれらの混合物とを含む組成物。
【０２５３】
実施形態Ｃ−ＩＩＩ。実施形態Ａ−Ｉ、Ａ−ＩＩ、Ａ−Ｖ、Ａ−ＶＩまたはＢ−Ｉ〜Ｂ−Ｖのいずれかに記載される組成物であって、約７５〜約８５重量パーセントのＨＦＯ−１２３４ｙｆまたはトランス−ＨＦＯ−１２３４ｚｅまたはこれらの混合物と、約１０重量パーセントのＨＦＣ−３２と、約５〜約１５重量パーセントのＨＦＣ−１５２ａ、ＨＦＯ−１２４３ｚｆまたはこれらの混合物とを含む組成物。
【０２５４】
実施形態Ｃ−ＩＶ。実施形態Ａ−Ｉ、Ａ−ＩＩ、Ａ−Ｖ、Ａ−ＶＩまたはＢ−Ｉ〜Ｂ−Ｖのいずれかに記載される組成物であって、約５８〜約７３．５重量パーセントのＨＦＯ−１２３４ｙｆまたはトランス−ＨＦＯ−１２３４ｚｅまたはこれらの混合物と、約２１．５重量パーセントのＨＦＣ−３２と、約５〜約２０重量パーセントのＨＦＣ−１５２ａ、ＨＦＯ−１２４３ｚｆまたはこれらの混合物とを含む組成物。
【０２５５】
実施形態Ｃ−Ｖ。実施形態Ａ−Ｉ、Ａ−ＩＩ、Ａ−Ｖ、Ａ−ＶＩまたはＢ−Ｉ〜Ｂ−Ｖのいずれかに記載される組成物であって、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１８重量パーセントのＨＦＣ−１５２ａ、ＨＦＯ−１２４３ｚｆまたはこれらの混合物とを含む組成物。
【０２５６】
実施形態Ｃ−ＶＩ。実施形態Ａ−Ｉ、Ａ−Ｖ、Ａ−ＶＩまたはＢ−Ｉ〜Ｂ−Ｖのいずれかに記載される組成物であって、約５６〜約９８重量パーセントのＨＦＯ−１２３４ｙｆまたはＨＦＯ−１２３４ｚｅまたはこれらの混合物と、約１〜約４３重量パーセントのＨＦＣ−３２と、約１〜約１５重量パーセントのＨＦＣ−１５２ａ、ＨＦＯ−１２４３ｚｆまたはこれらの混合物とを含む組成物。
【０２５７】
実施形態Ｃ−ＶＩＩ。実施形態Ａ−Ｉ、Ａ−Ｖ、Ａ−ＶＩまたはＢ−Ｉ〜Ｂ−Ｖのいずれかに記載される組成物であって、約５６〜約９８重量パーセントのトランス−ＨＦＯ−１２３４ｚｅと、約１〜約４３重量パーセントのＨＦＣ−３２と、約１〜約２０重量パーセントのＨＦＣ−１５２ａ、ＨＦＯ−１２４３ｚｆまたはこれらの混合物とを含む組成物。
【０２５８】
実施形態Ｃ−ＶＩＩＩ。実施形態Ａ−ＩＶ、Ａ−Ｖ、Ａ−ＶＩまたはＢ−Ｉ〜Ｂ−Ｖのいずれかに記載される組成物であって、約２２〜約３８重量パーセントのＨＦＯ−１２３４ｙｆまたはトランス−ＨＦＯ−１２３４ｚｅまたはこれらの混合物と、約５７．５重量パーセントのＨＦＣ−３２と、約５〜約２０重量パーセントのＨＦＣ−１５２ａ、ＨＦＯ−１２４３ｚｆまたはこれらの混合物とを含む組成物。
【０２５９】
実施形態Ｄ−Ｉ。実施形態Ａ−Ｉ〜Ａ−ＶＩ、Ｂ−Ｉ〜Ｂ−ＶまたはＣ−Ｉ〜Ｃ−ＶＩＩＩのいずれかに記載される組成物であって、０重量パーセント超〜約１０重量パーセントの範囲の少なくとも１つの飽和ＨＦＣをさらに含む組成物。
【０２６０】
実施形態Ｄ−ＩＩ。実施形態Ｄ−Ｉに記載される組成物であって、前記少なくとも１つの飽和ＨＦＣはＨＦＣ−１３４ａである。
【０２６１】
実施形態Ｄ−ＩＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＩのいずれかに記載される組成物であって、前記組成物のＧＷＰは、Ｒ−１３４ａ、Ｒ−２２、Ｒ−４０７Ｃ、およびＲ−４０４Ａからなる群から選択される少なくとも１つの冷媒のＧＷＰよりも小さい。
【０２６２】
実施形態Ｄ−ＩＶ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＩＩのいずれかに記載される組成物であって、前記ＨＦＯ−１２３４ｙｆ、トランス−ＨＦＯ−１２３４ｚｅまたはこれらの混合物の、ＨＦＣ−１５２ａ、ＨＦＯ−１２４３ｚｆまたはこれらの混合物に対する比率は、約１：１〜約２０：１の範囲である。
【０２６３】
実施形態Ｄ−Ｖ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかに記載される組成物であって、鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む組成物。
【０２６４】
実施形態Ｄ−ＶＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−Ｖのいずれかに記載される組成物であって、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、およびこれらの混合物からなる群から選択される少なくとも１つの添加剤をさらに含む組成物。
【０２６５】
実施形態Ｅ−Ｉ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を凝縮させ、その後、冷却すべき本体の近くで前記組成物を蒸発させることを含む、冷却をもたらすための方法。
【０２６６】
実施形態Ｅ−ＩＩ。加熱すべき本体の近くで実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を凝縮させ、その後、前記組成物を蒸発させることを含む、加熱をもたらすための方法。
【０２６７】
実施形態Ｅ−ＩＩＩ。現存の冷媒と共に使用するのに適したシステムで前記現存の冷媒をそれぞれ置換するための方法であって、前記方法は、実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を前記システムに提供することを含む。
【０２６８】
実施形態Ｅ−ＩＶ。現存の冷媒を使用するように設計されたシステムで前記現存の冷媒をそれぞれ置換するための方法であって、前記方法は、実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を前記システムに提供することを含む。
【０２６９】
実施形態Ｅ−Ｖ。前記現存の冷媒がＲ−２２、Ｒ−４０４Ａ、Ｒ−４０７Ｃ、およびＲ−１３４ａから選択される、実施形態Ｅ−ＩＶに記載される方法。
【０２７０】
実施形態Ｅ−ＶＩ。実施形態Ａ−Ｉ〜Ａ−ＶＩ、Ｂ−Ｉ〜Ｂ−ＩＩＩ、Ｂ−Ｖ、またはＣ−Ｉ〜Ｃ−ＶＩＩＩのいずれかの、Ｒ−２２の代替品としての使用。
【０２７１】
実施形態Ｅ−ＶＩＩ。実施形態Ａ−Ｉ〜Ａ−ＶＩ、Ｂ−Ｉ〜Ｂ−ＩＩＩ、Ｂ−Ｖ、またはＣ−Ｉ〜Ｃ−ＶＩＩＩのいずれかの、Ｒ４０７の代替品としての使用。
【０２７２】
実施形態Ｅ−ＶＩＩＩ。実施形態Ａ−Ｉ〜Ａ−ＶＩ、Ｂ−Ｉ〜Ｂ−ＩＩＩ、Ｂ−Ｖ、またはＣ−Ｉ〜Ｃ−ＶＩＩＩのいずれかの、Ｒ−４０４Ａの代替品としての使用。
【０２７３】
実施形態Ｅ−ＩＸ。実施形態Ａ−Ｉ〜Ａ−ＶＩ、Ｂ−Ｉ〜Ｂ−ＩＩＩ、Ｂ−Ｖ、またはＣ−Ｉ〜Ｃ−ＶＩＩＩのいずれかの、Ｒ−１３４ａの代替品としての使用。
【０２７４】
実施形態Ｆ−Ｉ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を含有する冷凍、空調またはヒートポンプ装置。
【０２７５】
実施形態Ｆ−ＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を含有する固定空調装置。
【０２７６】
実施形態Ｆ−ＩＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を含有する固定冷凍システム。
【０２７７】
実施形態Ｆ−ＩＶ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を含有する自動車用空調装置またはヒートポンプ。
【０２７８】
実施形態Ｆ−Ｖ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、動力サイクルの作動流体としての使用。
【０２７９】
実施形態Ｆ−ＶＩ。（ａ）加熱をもたらすプロセスと連通する第１の熱交換器に、実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を含む作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む、熱を回収するための方法。
【０２８０】
実施形態Ｆ−ＶＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、冷凍、空調またはヒートポンプシステムにおける冷媒としての使用。
【０２８１】
実施形態Ｆ−ＶＩＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、固定空調システムにおける冷媒としての使用。
【０２８２】
実施形態Ｆ−ＩＸ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、固定冷凍システムにおける冷媒としての使用。
【０２８３】
実施形態Ｆ−Ｘ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、移動空調システムにおける冷媒としての使用。
【０２８４】
実施形態Ｆ−ＸＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、自動車用空調またはヒートポンプシステムにおける冷媒としての使用。
【０２８５】
実施形態Ｆ−ＸＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、冷却装置における冷媒としての使用。
【０２８６】
実施形態Ｆ−ＸＩＩＩ。実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物の、遠心冷却装置（ｃｅｎｔｒｉｆｕｇａｌ  ｃｈｉｌｌｅｒ）における冷媒としての使用。
【０２８７】
実施形態Ｇ−Ｉ。ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含み、ＨＦＣ−１５２ａ、ＨＦＯ−１２４３ｚｆまたはこれらの混合物が約１４重量パーセント〜約１６重量パーセントの範囲である組成物であって、Ｒ−２２、ＨＦＣ−１３４ａ、Ｒ−４０４Ａ、およびＲ−４０７Ｃからなる群から選択される少なくとも１つの冷媒の約７５％〜約１３０％の範囲の冷却容量を有する組成物。
【０２８８】
実施形態Ｇ−ＩＩ。鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む、実施形態Ｇ−Ｉに記載される組成物。
【０２８９】
実施形態Ｇ−ＩＩＩ。潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、およびこれらの混合物からなる群から選択される少なくとも１つの添加剤をさらに含む、実施形態Ｇ−Ｉ〜Ｇ−ＩＩの何れかに記載される組成物。
【０２９０】
実施形態Ｇ−ＩＶ。実施形態Ｇ−Ｉの組成物を凝縮させ、その後、冷却すべき本体の近くで前記組成物を蒸発させることを含む、冷却をもたらすための方法。
【０２９１】
実施形態Ｇ−Ｖ。加熱すべき本体の近くで実施形態Ｇ−Ｉの組成物を凝縮させ、その後、前記組成物を蒸発させることを含む、加熱をもたらすための方法。
【０２９２】
実施形態Ｇ−ＶＩ。実施形態Ｇ−Ｉ〜Ｇ−ＩＩＩのいずれかの組成物を含有する冷凍、空調またはヒートポンプ装置。
【０２９３】
実施形態Ｇ−ＶＩＩ。実施形態Ｇ−Ｉ〜Ｇ−ＩＩＩのいずれかの組成物を含有する固定空調装置。
【０２９４】
実施形態Ｇ−ＶＩＩＩ。実施形態Ｇ−Ｉ〜Ｇ−ＩＩＩのいずれかの組成物を含有する固定冷凍システム。
【０２９５】
実施形態Ｇ−ＩＸ。実施形態Ｇ−Ｉ〜Ｇ−ＩＩＩのいずれかの組成物を含有する自動車用空調装置またはヒートポンプ。
【０２９６】
実施形態Ｇ−Ｘ。実施形態Ｇ−Ｉ〜Ｇ−ＩＩＩのいずれかの組成物の、動力サイクルの作動流体としての使用。
【０２９７】
実施形態Ｇ−ＸＩ。（ａ）加熱をもたらすプロセスと連通する第１の熱交換器に、実施形態Ｇ−Ｉ〜Ｇ−ＩＩＩの組成物を含む作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む、熱を回収するための方法。
【０２９８】
実施形態Ｈ−Ｉ。Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａを置換するための方法であって、実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を前記システムに提供することを含む方法。
【図１】
2014528987.tif 000011
【国際調査報告】
2014528987.tif 000012
2014528987.tif 000013
2014528987.tif 000014
2014528987.tif 000015
2014528987.tif 000016
2014528987.tif 000017